(57)【要約】  本発明の実施例は、端末装置が基地局から送信された構成シグナリングを受信することと、前記端末装置が前記構成シグナリングに基づき、第一のパラメータを確定し、前記端末装置により受信された復号が失敗したＴＢの数が前記第一のパラメータ以上である場合、前記端末装置がバッファに記憶するＴＢの数が前記第一のパラメータ以上であることとを含むデータ記憶方法を提供する。これにより、端末装置は基地局から送信された構成シグナリングに示される第一のパラメータに基づき、受信された復号が失敗したＴＢの数が第一のパラメータ以上である場合、記憶する復号が失敗したＴＢを確定し、これにより、記憶スペースの利用効率を向上させることができる。
2019502274.tif 000002
【特許請求の範囲】
【請求項１】
データ記憶方法であって、
端末装置が基地局から送信された構成シグナリングを受信することと、
前記端末装置が前記構成シグナリングに基づき、第一のパラメータを確定し、前記端末装置により受信された復号が失敗したＴＢの数が前記第一のパラメータ以上である場合、前記端末装置がバッファに記憶するＴＢの数が前記第一のパラメータ以上であることとを含む、前記データ記憶方法。
【請求項２】
前記構成シグナリングは、前記第一のパラメータを含むことを特徴とする
請求項１に記載の方法。
【請求項３】
前記構成シグナリングは第二のパラメータを含み、
第一のパラメータを確定することは、前記第一のパラメータをＮｎｕｍ＿ＴＢ＝Ｎｒｅｆｅｒ×Ｌとして確定することを含み、
ここで、前記第一のパラメータがＮｎｕｍ＿ＴＢとして表され、前記第二のパラメータがＮｒｅｆｅｒとして表され、Ｌが予め定義された定数であることを特徴とする
請求項１に記載の方法。
【請求項４】
前記端末装置が前記基地局から送信されたＴＢを受信した後、記憶する復号が失敗したＴＢを確定することをさらに含むことを特徴とする
請求項１に記載の方法。
【請求項５】
記憶する復号が失敗したＴＢを確定することは、
前記端末装置により受信された復号が失敗したＴＢの数が前記第一のパラメータ以上である場合、前記端末装置が一部又は全ての前記受信された復号が失敗したＴＢを記憶することを確定することを含むことを特徴とする
請求項４に記載の方法。
【請求項６】
2019502274.tif 000038
【請求項７】
2019502274.tif 000039
【請求項８】
2019502274.tif 000040
【請求項９】
前記端末装置が一部又は全ての前記受信された復号が失敗したＴＢを記憶することを確定することは、
前記端末装置が優先度に従って、前記一部又は全ての前記受信された復号が失敗したＴＢを記憶することを含み、
ここで、主搬送波で伝送される復号が失敗したＴＢが第一の優先度を有し、ライセンス副搬送波で伝送される復号が失敗したＴＢが第二の優先度を有し、アンライセンス搬送波で伝送される復号が失敗したＴＢが第三の優先度を有することを特徴とする
請求項５に記載の方法。
【請求項１０】
2019502274.tif 000041
【請求項１１】
2019502274.tif 000042
【請求項１２】
2019502274.tif 000043
【請求項１３】
データ記憶のための方法であって、
基地局が第一のパラメータを確定することと、
前記基地局が端末装置へ構成シグナリングを送信し、前記端末装置により受信された復号が失敗した伝送ブロックＴＢの数が前記第一のパラメータ以上である場合、前記端末装置がバッファに記憶するＴＢの数が前記第一のパラメータ以上となるように、前記構成シグナリングが前記第一のパラメータを示すことに用いられることとを含む、前記データ記憶のための方法。
【請求項１４】
前記構成シグナリングは、前記第一のパラメータを含むことを特徴とする
請求項１３に記載の方法。
【請求項１５】
前記構成シグナリングは、第二のパラメータを含み、
前記第一のパラメータがＮｎｕｍ＿ＴＢとして表され、前記第二のパラメータがＮｒｅｆｅｒとして表され、且つＮｎｕｍ＿ＴＢ＝Ｎｒｅｆｅｒ×Ｌであり、Ｌが予め定義された定数であることを特徴とする
請求項１３に記載の方法。
【請求項１６】
端末装置であって、
基地局から送信された構成シグナリングを受信するように構成される受信ユニットと、
前記構成シグナリングに基づき、第一のパラメータを確定するように構成され、前記端末装置により受信された復号が失敗した伝送ブロックＴＢの数が前記第一のパラメータ以上である場合、前記端末装置がバッファに記憶するＴＢの数が前記第一のパラメータ以上である確定ユニットとを含む、前記端末装置。
【請求項１７】
前記構成シグナリングは、前記第一のパラメータを含むことを特徴とする
請求項１６に記載の端末装置。
【請求項１８】
前記構成シグナリングは、第二のパラメータを含み、
前記確定ユニットは、前記第一のパラメータをＮｎｕｍ＿ＴＢ＝Ｎｒｅｆｅｒ×Ｌとして確定するように構成され、
ここで、前記第一のパラメータがＮｎｕｍ＿ＴＢとして表され、前記第二のパラメータがＮｒｅｆｅｒとして表され、Ｌが予め定義された定数であることを特徴とする
請求項１６に記載の端末装置。
【請求項１９】
前記確定ユニットはさらに、
前記基地局から送信されたＴＢを受信した後、記憶する復号が失敗したＴＢを確定するように構成されることを特徴とする
請求項１６に記載の端末装置。
【請求項２０】
前記確定ユニットは、
前記端末装置により受信された復号が失敗したＴＢの数が前記第一のパラメータ以上である場合、一部又は全ての前記受信された復号が失敗したＴＢを記憶することを確定するように構成されることを特徴とする
請求項１９に記載の端末装置。
【請求項２１】
2019502274.tif 000044
【請求項２２】
2019502274.tif 000045
【請求項２３】
2019502274.tif 000046
【請求項２４】
前記端末装置は、記憶ユニットをさらに含み、
前記記憶ユニットは、優先度に従って一部又は全ての前記受信された復号が失敗したＴＢを記憶するように構成され、
ここで、主搬送波で伝送される復号が失敗したＴＢが第一の優先度を有し、ライセンス副搬送波で伝送される復号が失敗したＴＢが第二の優先度を有し、アンライセンス搬送波で伝送される復号が失敗したＴＢが第三の優先度を有することを特徴とする
請求項２０に記載の端末装置。
【請求項２５】
2019502274.tif 000047
【請求項２６】
2019502274.tif 000048
【請求項２７】
2019502274.tif 000049
【請求項２８】
基地局であって、
第一のパラメータを確定するように構成される確定ユニットと、
端末装置へ構成シグナリングを送信するように構成され、前記端末装置により受信された復号が失敗した伝送ブロックＴＢの数が前記第一のパラメータ以上である場合、前記端末装置がバッファに記憶するＴＢの数が前記第一のパラメータ以上となるように、前記構成シグナリングが前記第一のパラメータを示すことに用いられる送信ユニットとを含む、前記基地局。
【請求項２９】
前記構成シグナリングは、前記第一のパラメータを含むことを特徴とする
請求項２８に記載の基地局。
【請求項３０】
前記構成シグナリングは、第二のパラメータを含み、
前記第一のパラメータがＮｎｕｍ＿ＴＢとして表され、前記第二のパラメータがＮｒｅｆｅｒとして表され、且つＮｎｕｍ＿ＴＢ＝Ｎｒｅｆｅｒ×Ｌであり、Ｌが予め定義された定数であることを特徴とする
請求項２８に記載の基地局。
【発明の詳細な説明】
【技術分野】
【０００１】
本発明の実施例は通信分野に関し、具体的には、データ記憶方法、端末装置及び基地局に関する。
【背景技術】
【０００２】
長期進化型（ＬＴＥ：Ｌｏｎｇ  Ｔｅｒｍ  Ｅｖｏｌｕｔｉｏｎ）システムにおける物理下りリンク共有チャネル（ＰＤＳＣＨ：Ｐｈｙｓｉｃａ１  Ｄｏｗｎ１ｉｎｋ  Ｓｈａｒｅ  Ｃｈａｎｎｅ１）はハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）機能をサポートし、これにより、データ伝送の信頼性を向上させることができる。具体的には、端末装置は基地局と通信接続を確立した後、基地局から送信された下りリンク制御シグナリング（ＤＣＩ：Ｄｏｗｎ１ｉｎｋ  Ｃｏｎｔｒｏ１  Ｉｎｆｏｒｍａｔｉｏｎ）を受信し、且つＰＤＳＣＨに対応するスケジューリング情報を取得し、例えば、スケジューリング情報が物理リソース位置及び数量、変調符号化レベルなどの内容を含むことができる。その後、端末装置はスケジューリング情報に基づいてＰＤＳＣＨを受信し、且つその中に搬送された伝送ブロック（ＴＢ：Ｔｒａｎｓｐｏｒｔ  Ｂｌｏｃｋ）を復調し、復号することができる。正しく復号する場合、端末装置は基地局へ応答（ＡＣＫ：Ａｃｋｎｏｗｌｅｄｇｅｍｅｎｔ）情報をフィードバックする。復号が失敗した場合、端末装置は基地局へ否定応答（ＮＡＣＫ：Ｎｅｇａｔｉｖｅ  Ａｃｋｎｏｗｌｅｄｇｍｅｎｔ）情報をフィードバックし、さらに、基地局はＮＡＣＫ情報を受信した後に該ＴＢを再送する。
【０００３】
帯域幅の拡張を実現するために、ＬＴＥシステムは搬送波集約（ＣＡ：Ｃａｒｒｉｅｒ  Ａｇｇｒｅｇａｔｉｏｎ）技術を使用し、即ち複数のＬＴＥ搬送波（ＣＣ：Ｃｏｍｐｏｎｅｎｔ  Ｃａｒｒｉｅｒ）を集約し、より大きな伝送帯域幅を実現する。
【０００４】
無線セルラーシステムではアンライセンス周波数帯域を使用することでセルラーシステムの使用頻度を拡張し、例えばライセンス支援アクセス（ＬＡＡ：Ｌｉｃｅｎｓｅ  Ａｓｓｉｓｔｅｄ  Ａｃｃｅｓｓ）技術を使用する。該ＬＡＡ技術によりライセンス搬送波とアンライセンス（Ｕｎｌｉｃｅｎｓｅｄ）搬送波の集約を実現する。
【０００５】
アンライセンス搬送波において話す前に聞く（ＬＢＴ：Ｌｉｓｔｅｎ  Ｂｅｆｏｒｅ  Ｔａｌｋ）という技術が使用され、且つアンライセンス搬送波を使用する端末が一般的に低速又は静止端末であるため、アンライセンス搬送波上の単一伝送のブロックエラー率（ＢＬＥＲ：Ｂｌｏｃｋ  Ｅｒｒｏｒ  Ｒａｔｅ）性能が一般的にライセンス搬送波より良いと考えられる。
【０００６】
しかしながら、アンライセンス搬送波が複数のノードによって共有されて使用されるため、一つの基地局が一つのアンライセンス搬送波を占用する時間は限られる。したがって、従来技術方法として、即ち集約された搬送波の数に基づいて端末装置に記憶された復号が失敗したＴＢの数及び大きさを確定することは、効率が低い。
【発明の概要】
【発明が解決しようとする課題】
【０００７】
本発明の実施例は、端末装置が復号が失敗したＴＢの数を効率的に記憶するためのデータ記憶方法を提供する。
【課題を解決するための手段】
【０００８】
第一の態様によるデータ記憶方法は、端末装置が基地局から送信された構成シグナリングを受信することと、前記端末装置が前記構成シグナリングに基づき、第一のパラメータを確定し、前記端末装置により受信された復号が失敗したＴＢの数が前記第一のパラメータ以上である場合、前記端末装置がバッファに記憶するＴＢの数が前記第一のパラメータ以上であることとを含む。
【０００９】
言い換えれば、前記第一のパラメータは、前記端末装置が記憶する復号が失敗したＴＢの数を確定することに用いられる。
【００１０】
さらに、端末装置が基地局から送信されたＴＢを受信し、その中のＴＢを復号し、且つ第一のパラメータに基づき、記憶する復号が失敗したＴＢを確定することをさらに含むことができる。
【００１１】
これにより、端末装置は基地局から送信された構成シグナリングに示される第一のパラメータに基づき、記憶する復号が失敗したＴＢを確定することができ、これにより記憶スペースの利用率を向上させることができる。その中、記憶スペースはバッファであってもよい。
【００１２】
また、前記構成シグナリングは前記第一のパラメータを含む。これにより、端末装置は構成シグナリングに基づいて直接第一のパラメータを取得することができる。
【００１３】
また、前記構成シグナリングは第二のパラメータを含む。これにより、端末装置は構成シグナリングにおける第二のパラメータに基づき、計算して第一のパラメータを取得することができる。具体的には、端末装置は第一のパラメータをＮｎｕｍ＿ＴＢ＝Ｎｒｅｆｅｒ×Ｌとして確定する。その中、前記第一のパラメータはＮｎｕｍ＿ＴＢとして表され、前記第二のパラメータはＮｒｅｆｅｒとして表され、Ｌは予め定義された定数である。
【００１４】
第一の態様と組み合わせ、第一の可能な実施形態において、前記端末装置により受信された復号が失敗したＴＢの数が前記第一のパラメータ以下である場合、全ての受信された復号が失敗したＴＢを記憶することを確定する。
【００１５】
第一の態様と組み合わせ、第二の可能な実施形態において、前記端末装置により受信された復号が失敗したＴＢの数が前記第一のパラメータより大きい場合、一部又は全ての受信された復号が失敗したＴＢを記憶することを確定する。即ち記憶する復号が失敗したＴＢの数は第一のパラメータ以上である。
【００１６】
ここで、端末装置は優先度順番に基づいて受信された復号が失敗したＴＢを記憶することができる。その中、主搬送波で伝送される復号が失敗したＴＢは第一の優先度を有し、ライセンス搬送波で伝送される復号が失敗したＴＢは第二の優先度を有し、アンライセンス搬送波で伝送される復号が失敗したＴＢは第三の優先度を有する。
【００１７】
第一の態様と組み合わせ、第三の可能な実施形態において、前記端末装置が前記第一のパラメータに基づき、記憶する復号が失敗したＴＢにおける各ＣＢに対して、前記各ＣＢの記憶する最小ビット数ｎＳＢを確定する。
【００１８】
2019502274.tif 000003
【００１９】
2019502274.tif 000004
【００２０】
2019502274.tif 000005
【００２１】
2019502274.tif 000006
【００２２】
第三の態様によるデータ記憶のための方法は、基地局が第一のパラメータを確定することと、前記基地局が端末装置へ構成シグナリングを送信し、前記端末装置により受信された復号が失敗した伝送ブロックＴＢの数が前記第一のパラメータ以上である場合、前記端末装置がバッファに記憶するＴＢの数が前記第一のパラメータ以上となるように、前記構成シグナリングが前記第一のパラメータを示すことに用いられることを含む。
【００２３】
言い換えれば、前記第一のパラメータは、前記端末装置が記憶する復号が失敗したＴＢの数を確定することに用いられる。
【００２４】
また、前記構成シグナリングは前記第一のパラメータを含む。これにより、端末装置は構成シグナリングに基づいて直接第一のパラメータを取得することができる。
【００２５】
また、前記構成シグナリングは第二のパラメータを含む。これにより、端末装置は構成シグナリングにおける第二のパラメータに基づき、計算して第一のパラメータを取得することができる。具体的には、端末装置は第一のパラメータをＮｎｕｍ＿ＴＢ＝Ｎｒｅｆｅｒ×Ｌとして確定する。その中、前記第一のパラメータはＮｎｕｍ＿ＴＢとして表され、前記第二のパラメータはＮｒｅｆｅｒとして表され、Ｌは予め定義された定数である。
【００２６】
第四の態様による端末装置は、基地局から送信された構成シグナリングを受信するように構成される受信ユニットと、前記構成シグナリングに基づき、第一のパラメータを確定するように構成され、前記端末装置により受信された復号が失敗した伝送ブロックＴＢの数が前記第一のパラメータ以上である場合、前記端末装置がバッファに記憶するＴＢの数が前記第一のパラメータ以上である確定ユニットとを含む。該端末装置は上記第一の態様及びその実施形態の方法において端末装置によって実行される各プロセスを実行することに用いられることができる。
【００２７】
第五の態様による端末装置は、受信機、プロセッサとメモリを含む。受信機は基地局から送信された構成シグナリングを受信するように構成される。プロセッサは前記構成シグナリングに基づき、第一のパラメータを確定するように構成される。メモリは復号が失敗したＴＢを記憶するように構成される。該端末装置は上記第一の態様及びその実施形態の方法において端末装置によって実行される各プロセッサを実行することに用いられることができる。
【００２８】
2019502274.tif 000007
【００２９】
2019502274.tif 000008
【００３０】
第八の態様による基地局は第一のパラメータを確定するように構成される確定ユニットと、端末装置へ構成シグナリングを送信するように構成され、前記端末装置により受信された復号が失敗した伝送ブロックＴＢの数が前記第一のパラメータ以上である場合、前記端末装置がバッファに記憶するＴＢの数が前記第一のパラメータ以上となるように、前記構成シグナリングが前記第一のパラメータを示すことに用いられる送信ユニットとを含む。
【００３１】
第九の態様による基地局は、送信機、プロセッサとメモリを含む。プロセッサは第一のパラメータを確定するように構成される。送信機は端末装置へ構成シグナリングを送信するように構成され、前記構成シグナリングが前記第一のパラメータを示すことに用いられ、前記第一のパラメータは、前記端末装置が記憶する復号が失敗した伝送ブロックＴＢの数を確定することに用いられる。メモリはプロセッサで実行されるコマンドコードを記憶するように構成される。該基地局は上記第三の態様及びその実施形態の方法において基地局によって実行される各プロセスを実行することに用いられてもよい。
【００３２】
第十の態様によるコンピュータ可読記憶媒体であって、前記コンピュータ可読記憶媒体にプログラムが記憶され、前記プログラムにより端末装置が上記第一の態様及びその様々な実施形態のうちのいずれかのデータ記憶方法を実行する。
【００３３】
第十一の態様によるコンピュータ可読記憶媒体であって、前記コンピュータ可読記憶媒体にプログラムが記憶され、前記プログラムにより端末装置が上記第二の態様及びその様々な実施形態のうちのいずれかのデータ記憶方法を実行する。
【００３４】
上記の本発明の実施例により、端末装置は基地局から送信された、第一のパラメータを示すための構成シグナリングを受信し、端末が実際に復号が失敗したＴＢの数が第一のパラメータより大きい場合、端末は記憶する復号が失敗したＴＢの数を第一のパラメータ以上として確定することで、記憶効率を向上させ、バッファの利用効率を向上させることができる。
【図面の簡単な説明】
【００３５】
【図１】ＬＴＥ搬送波集約技術の模式図である。
【図２】本発明の実施例におけるデータ記憶方法の一つの概略的なフローチャートである。
【図３】本発明の実施例におけるＣＢのビット数を記憶する模式図である。
【図４】本発明の実施例におけるＣＢのビット数を記憶する別の模式図である。
【図５】本発明の実施例における符号化ブロック記憶方法の概略的なフローチャートである。
【図６】本発明の実施例における端末装置の概略的なブロック図である。
【図７】本発明の実施例における端末装置の別の概略的なブロック図である。
【図８】本発明の実施例における端末装置の別の概略的なブロック図である。
【図９】本発明の実施例における端末装置の別の概略的なブロック図である。
【図１０】本発明の実施例における基地局の概略的なブロック図である。
【図１１】本発明の実施例における基地局の別の概略的なブロック図である。
【発明を実施するための形態】
【００３６】
本発明の実施例の技術的な解決策をより明確に説明するため、以下に実施例又は従来技術の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００３７】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００３８】
本明細書に使用される用語「部材」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、部材はプロセッサで実行されているプロセス、プロセッサ、オブジェクト、実行可能ファイル、実行スレッド、プログラム及び/又はコンピュータであってもよいがこれらに限定されない。図面に示すように、コンピュータデバイスで実行されているアプリケーションとコンピュータデバイスは部材であってもよい。一つ以上の部材はプロセス及び／又は実行スレッドに駐在でき、部材は一つのコンピュータに位置し又は２つ以上のコンピュータの間に分布することができる。また、これらの部材は様々なデータ構造を記憶する上記の様々なコンピュータ可読媒体で実行されてもよい。部材は例えば一つ以上のデータグループ（例えばローカルシステム、分散型システム及び／又はネットワーク間の別の部材とインタラクションを行う二つの部材からのデータ、例えば信号により他のシステムとインタラクションを行うインターネット）を有する信号に基づいてローカル及び／又は遠隔プロセスにより通信することができる。
【００３９】
理解すべきものとして、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワールドワイドインターオペラビリティフォーマイクロウェーブアクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、及び将来の５Ｇ通信システムなどに応用されることができる。
【００４０】
本発明は端末装置と組み合わせて各実施例を説明する。端末装置は無線アクセスネットワーク（ＲＡＮ：Ｒａｄｉｏ  Ａｃｃｅｓｓ  Ｎｅｔｗｏｒｋ）を介して一つ以上のコアネットワークと通信することができ、端末はユーザ装置（ＵＥ：Ｕｓｅｒ  Ｅｑｕｉｐｍｅｎｔ）、アクセス端末、加入者ユニット、加入者サイト、移動サイト、移動局、遠隔局、遠隔端末、移動装置、ユーザ端末、端末、無線通信装置、ユーザエージェント又はユーザデバイスであってもよい。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末などであってもよい。
【００４１】
本発明は基地局と組み合わせて各実施例を説明する。基地局は端末装置と通信するためのデバイスであってもよく、例えばＧＳＭシステム又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）であってよく、又は該基地局はリピータ、アクセスポイント、車載デバイス、ウェアラブルデバイス及び将来の５Ｇネットワークにおけるネットワーク側デバイスなどであってもよい。
【００４２】
以下に本発明の実施例に係る関連技術及び概念を簡単に説明する。
【００４３】
搬送波集約技術：
通信技術の発展に伴い、ＬＴＥ技術から長期進化技術アップグレード（ＬＴＥ−Ａｄｖａｎｃｅｄ、ＬＴＥ−Ａ）技術が進化する。ＬＴＥ−Ａのリリース１０（Ｒｅｌｅａｓｅ１０）システムにおいて、ＣＡ技術を使用して帯域幅拡張を実現し、即ち、図１に示す最大５個の搬送波ＬＴＥ搬送波ＣＣ１〜ＣＣ５を集約し、最大１００ＭＨｚの伝送帯域幅を実現することができる。その中、集約された搬送波はメンバー搬送波と呼ばれてもよい。端末装置の能力及びそれが伝送するデータ量に応じて、基地局は各端末装置に対してそれが集約して伝送する搬送波の数量を設定することができる。
【００４４】
一つの端末に対して、集約された複数のメンバー搬送波は以下を含む：（１）主搬送波（ＰＣｅｌｌ：Ｐｒｉｍａｒｙ  Ｃｅｌｌ）であって、主搬送波が一つだけであり、端末装置が主搬送波で初期接続確立プロセス又は開始接続再確立プロセスを行い、端末装置が主搬送波のみでＰＤＣＣＨの共通検索スペースを受信し、且つ端末装置が主搬送波のみでＰＵＣＣＨを送信する。（２）副搬送波（ＳＣｅｌｌ：Ｓｅｃｏｎｄａｒｙ  Ｃｅｌｌ）であって、主搬送波以外のメンバー搬送波が全て副搬送波であり、端末装置が副搬送波でＤＣＩ、ＰＤＳＣＨを受信し、且つ副搬送波でＰＵＳＣＨを送信することができる。
【００４５】
ＬＡＡ技術：
現在、無線セルラーシステムにおいてアンライセンス周波数帯（Ｕｎｌｉｃｅｎｓｅｄ周波数帯、例えば２．４ＧＨｚ、５．８ＧＨｚなどの周波数帯）を使用してセルラーシステムの使用頻度を拡張することが考えられ、主要な技術はＬＡＡ技術を含む。ＬＡＡ技術の主な特徴は以下を含む：（１）アンライセンス周波数帯がライセンス周波数と集約して使用される必要があり、且つアンライセンス周波数が副搬送波のみとして動作することができる。ＬＡＡ技術をより良くサポートするために、ＬＴＥ−Ａリリース１３（Ｒ１３：Ｒｅｌｅａｓｅ１３）システムは最大３２個のメンバー搬送波の集約をサポートすることができる。（２）アンライセンス周波数帯の使用は基地局のスケジューリングだけでなく、アンライセンス周波数帯の負荷に制限され、即ち使用できるために競争的メカニズムを通過する必要がある。
【００４６】
2019502274.tif 000009
【００４７】
2019502274.tif 000010
【００４８】
2019502274.tif 000011
【００４９】
これにより、復号が失敗したＴＢを記憶する過程において、まず端末装置のバッファを集約された搬送波に基づいて均分した後、さらに各搬送波内の伝送モード、ＨＡＲＱプロセス数などに基づいて均分することが分かる。
【００５０】
しかしながら、アンライセンス搬送波が複数のノードによって共有されて使用されるため、一つの基地局が一つのアンライセンス搬送波を占用する時間は限られる。したがって、従来技術方法として、即ち集約された搬送波の数に基づいて端末装置に記憶する復号が失敗したＴＢの数及び大きさを確定することは、効率が低下する。
【００５１】
本発明の実施例において、基地局によって予めパラメータを定義し、これにより、端末装置が実際に復号が失敗したＴＢの数が該パラメータより大きい場合、端末装置に記憶する復号が失敗したＴＢの数は、少なくとも該パラメータとする。即ち、本発明の実施例において、集約された搬送波の数に基づいて記憶する復号が失敗したＴＢの数を確定する必要がなく、これにより記憶効率を向上させることができる。
【００５２】
具体的には、本発明の実施例において提供されるデータ記憶方法は図２に示すように、Ｓ１１０及びＳ１２０を含むことができる。
【００５３】
Ｓ１１０において、端末装置は基地局から送信された構成シグナリングを受信する。
【００５４】
Ｓ１２０において、端末装置は前記構成シグナリングに基づき、第一のパラメータを確定し、前記端末装置により受信された復号が失敗した伝送ブロックＴＢの数が前記第一のパラメータ以上である場合、前記端末装置がバッファに記憶するＴＢの数は前記第一のパラメータ以上である。
【００５５】
本発明の実施例において、端末装置が基地局から送信された構成シグナリングに示される第一のパラメータに基づいて、端末装置により受信された復号が失敗したＴＢの数が第一のパラメータの数以上である場合、端末装置のバッファに記憶する復号が失敗したＴＢの数が該第一のパラメータ以上となり、これにより記憶スペースの利用率を向上させることができる。その中、記憶スペースはバッファであってもよい。
【００５６】
理解すべきものとして、Ｓ１１０の前に、基地局はまず第一のパラメータを確定し、次に基地局は構成シグナリングを端末装置に送信し、その中、該構成シグナリングは第一のパラメータを示すことに用いられる。
【００５７】
具体的には、異なる端末装置に対して、基地局により確定された第一のパラメータの値も異なる。
【００５８】
また、基地局は、（１）集約された搬送波の総数、（２）集約された搬送波におけるアンライセンス搬送波の総数、（３）各メンバ搬送波の帯域幅、（４）時分割複信（ＴＤＤ：Ｔｉｍｅ  Ｄｉｖｉｓｉｏｎ  Ｄｕｐｌｅｘ）のメンバ搬送波における最大ＨＡＲＱプロエス数、（５）各メンバ搬送波における伝送モードのうちの少なくとも一つに基づいて前記第一のパラメータを確定することができる。ここで、伝送モジュラスは最大スペース層数、最大ＴＢ数などであってもよい。また、基地局は他の要因に基づいて第一のパラメータを確定することがで、ここでは一つずつ挙げしない。本発明はこれに限定されない。
【００５９】
一つの実施形態として、構成シグナリングは第一のパラメータを含む。即ち、構成シグナリングは第一のパラメータの値を直接に示す。例えば、構成シグナリングの第一のフィールドに値Ａが記入される。これにより、端末装置は構成シグナリングの第一のフィールドに値Ａを読み取ると、読み取られた値を第一のパラメータの値として確定できる。その中、第一のフィールドは基地局と端末装置によって予め約束されたもの又はプロトコルによって約束されたものであってもよい。
【００６０】
別の実施形態として、構成シグナリングは第二のパラメータを含み、第一のパラメータは第二のパラメータに基づいて確定されてもよい。即ち、構成シグナリングは第一のパラメータの値を間接的に示す。例えば、構成シグナリングの第二のフィールドに値Ｂが記入される。これにより、端末装置は構成シグナリングの第二のフィールドに値Ｂを読み取ると、読み取られた値を第二のパラメータの値として確定できる。その中、第二のフィールドは基地局と端末装置によって予め約束されたもの又はプロトコルによって約束されたものであってもよい。
【００６１】
ここで、第一のパラメータと第二のパラメータの関係は以下のように示されてもよい。
【００６２】
第一のパラメータがＮｎｕｍ＿ＴＢとして表され、第二のパラメータがＮｒｅｆｅｒとして表されると、第二のパラメータに基づいて第一のパラメータを確定する関係は、Ｎｎｕｍ＿ＴＢ＝Ｎｒｅｆｅｒ×Ｌである。その中、Ｌは予め定義された定数である。
【００６３】
ここで、Ｌは定数であり、例えばＬ＝８又はＬ＝１６である。具体的には、Ｌの値はプロトコールによって約束されたものであってもよく、又は、Ｌの値は基地局によって端末装置に配置されたものであってもよく、例えば基地局は制御シグナリング又はスケジューリングシグナリングなどにより端末装置に通知することができる。
【００６４】
上記の説明を参照し、一例として、Ｓ１２０では、端末装置により読み取られた該構成シグナリングの第一のフィールドがＡである場合、第一のパラメータがＮｎｕｍ＿ＴＢ＝Ａである。端末装置により読み取られた該構成シグナリングの第二のフィールドがＢである場合、第一のパラメータがＮｎｕｍ＿ＴＢ＝Ａ×Ｌである。
【００６５】
これにより、端末装置はＳ１２０で第一のパラメータを確定した後、次のデータ伝送過程において、該第一のパラメータに基づいて、記憶しようとする復号が失敗したＴＢの数を確定し、さらに復号が失敗したＴＢを記憶することができる。
【００６６】
即ち、Ｓ１２０の後、端末装置が基地局から送信されたＴＢを受信した後に、記憶する復号が失敗したＴＢを確定することを含むことができる。
【００６７】
Ｓ１２０の後、端末装置は基地局から送信されたデータ（例えばＰＤＳＣＨ）を受信し、且つその中に搬送されたＴＢを復号することができる。復号した後、端末装置は実際に復号が失敗したＴＢの数を得ることができる。
【００６８】
具体的には、端末装置が実際に復号が失敗したＴＢの数が第一のパラメータ以下である場合、記憶しようとする復号が失敗したＴＢの数が実際に復号が失敗したＴＢの数に等しいことを確定することができる。さらに、端末装置は実際に復号が失敗したＴＢを記憶することができる。
【００６９】
即ち、端末装置により受信された復号が失敗したＴＢの数が第一のパラメータより小さい（又は等しい）場合、端末装置は全ての受信された復号が失敗したＴＢを記憶することを確定する。
【００７０】
注意すべきものとして、本発明の実施例において、同じＴＢに対して、複数回再送しても失敗した場合、一つの復号が失敗したＴＢとして記する。即ち、実際に復号が失敗したＴＢにおいて、異なるＴＢが相異する。
【００７１】
具体的には、端末装置が実際に復号が失敗したＴＢの数が第一のパラメータより大きい（又は等しい）場合、記憶しようとする復号が失敗したＴＢの数が第一のパラメータ以上であることを確定することができる。
【００７２】
即ち、端末装置により受信された復号が失敗したＴＢの数が第一のパラメータより大きい（又は等しい）場合、端末装置は一部又は全ての受信された復号が失敗したＴＢを記憶することを確定する。即ち記憶する復号が失敗したＴＢの数が第一のパラメータ以上である。即ち端末装置は少なくともＮｎｕｍ＿ＴＢつの復号が失敗したＴＢを記憶する。
【００７３】
注意すべきものとして、上記の２種類の説明では端末装置により受信された復号が失敗したＴＢの数が第一のパラメータに等しい時の様子が一致し、いずれも端末装置が全ての受信された復号が失敗したＴＢを記憶することを確定し、即ち記憶された復号が失敗したＴＢの数が第一のパラメータに等しいことである。
【００７４】
本発明の実施例において、第一のパラメータは端末装置がそのバッファに記憶する復号が失敗したＴＢの数の上限の最小値であると考えられてもよい。具体的には、第一のパラメータは端末装置が実際に復号が失敗したＴＢの数が第一のパラメータ以上である場合、端末装置が記憶する復号が失敗した数の最小値を意味する。
【００７５】
例えば、端末装置により受信された復号が失敗したＴＢがＮｎｕｍ＿ｆａｉｌ個であり、且つＮｎｕｍ＿ｆａｉｌ＞Ｎｎｕｍ＿ＴＢであると仮定する。これにより、端末装置は記憶しようとする復号が失敗したＴＢの数であるＮｓｔｏｒｅ＿ＮＢがＮｎｕｍ＿ＴＢ≦Ｎｓｔｏｒｅ＿ＮＢ≦Ｎｎｕｍ＿ｆａｉｌを満たすことを確定することができる。記憶する復号が失敗したＴＢの数を確定した後、端末装置は復号が失敗したＴＢを記憶することができる。
【００７６】
又は、端末装置により受信された復号が失敗したＴＢがＮｎｕｍ＿ｆａｉｌ個であり、且つＮｎｕｍ＿ｆａｉｌ＞Ｎｎｕｍ＿ＴＢであると仮定する。これにより、端末装置は、Ｎｓｔｏｒｅ＿ＮＢ個の復号が失敗したＴＢを記憶することを確定することができ、Ｎｎｕｍ＿ＴＢ≦Ｎｓｔｏｒｅ＿ＮＢ≦Ｎｎｕｍ＿ｆａｉｌである。
【００７７】
具体的には、端末装置はＮｎｕｍ＿ｆａｉｌ個の復号が失敗したＴＢからその中のＮｓｔｏｒｅ＿ＮＢ個選択して記憶することができる。且つ、端末装置は残りのＮｎｕｍ＿ｆａｉｌ−Ｎｓｔｏｒｅ＿ＮＢ個の復号が失敗したＴＢを捨てる。
【００７８】
また、端末装置は優先度順番で復号が失敗したＴＢを記憶することができ、具体的には、主搬送波で伝送される復号が失敗したＴＢを優先的に記憶し、その後ライセンス副搬送波で伝送される復号が失敗したＴＢを記憶し、最後アンライセンス搬送波で伝送される復号が失敗したＴＢを記憶することができる。
【００７９】
即ち、主搬送波で伝送される復号が失敗したＴＢは第一の優先度（最高優先度）を有し、ライセンス副搬送波で伝送される復号が失敗したＴＢは第二の優先度を有し、アンライセンス搬送波で伝送される復号が失敗したＴＢは第三の優先度を有する。
【００８０】
以下、Ｎｓｔｏｒｅ＿ＮＢ＝Ｎｎｕｍ＿ＴＢを例として説明する。
【００８１】
例えば、Ｎｎｕｍ＿ｆａｉｌ個の復号が失敗したＴＢのうち、ライセンス搬送波で伝送されるＴＢがＮｎｕｍ＿ｌｉｃｅｎ個であり、主搬送波で伝送されるＴＢがＮｎｕｍ＿ｐｒｉ個であると仮定する。アンライセンス搬送波で伝送されるＴＢはＮｎｕｍ＿ｕｎｌｉｃｅｎ個であり、且つＮｎｕｍ＿ｌｉｃｅｎ個＋Ｎｎｕｍ＿ｕｎｌｉｃｅｎ＝Ｎｎｕｍ＿ｆａｉｌであり、Ｎｎｕｍ＿ｐｒｉ≦Ｎｎｕｍ＿ｌｉｃｅｎである。
【００８２】
Ｎｎｕｍ＿ｆａｉｌ＞Ｎｎｕｍ＿ＴＢの場合、端末装置はまずアンライセンス搬送波で伝送される復号が失敗したＴＢを捨てる。
【００８３】
ここで、Ｎｎｕｍ＿ｆａｉｌ−Ｎｎｕｍ＿ｕｎｌｉｃｅｎ≦Ｎｎｕｍ＿ＴＢの場合、端末装置はＮｎｕｍ＿ｆａｉｌ−Ｎｎｕｍ＿ＴＢ個のアンライセンス搬送波で伝送される復号が失敗したＴＢを捨てる。
【００８４】
さらに、端末装置が全てのアンライセンス搬送波で伝送される復号が失敗したＴＢを捨てた後の記憶するＴＢの数が依然としてＮｎｕｍ＿ＴＢより大きく、即ちＮｎｕｍ＿ｆａｉｌ−Ｎｎｕｍ＿ｕｎｌｉｃｅｎ＞Ｎｎｕｍ＿ＴＢとする場合、端末装置は一部のライセンス搬送波で伝送される復号が失敗したＴＢを捨てる。
【００８５】
さらに、端末装置が全てのライセンス搬送波で伝送される復号が失敗したＴＢを捨てた後の記憶するＴＢの数が依然としてＮｎｕｍ＿ＴＢより大きく、即ちＮｎｕｍ＿ｐｒｉ＞Ｎｎｕｍ＿ＴＢとする場合、端末装置は一部の主搬送波で伝送される復号が失敗したＴＢを捨てる。
【００８６】
2019502274.tif 000012
【００８７】
2019502274.tif 000013
【００８８】
2019502274.tif 000014
【００８９】
2019502274.tif 000015
【００９０】
2019502274.tif 000016
【００９１】
他のＣＢは、復号が失敗した又は復号しないＣＢとして理解されてもよい。又は、他のＣＢはＴＢにおける正しく復号したＣＢ以外のＣＢとして理解されてもよい。
【００９２】
2019502274.tif 000017
【００９３】
2019502274.tif 000018
【００９４】
2019502274.tif 000019
【００９５】
2019502274.tif 000020
【００９６】
2019502274.tif 000021
【００９７】
例えば、一つのＴＢがＣＢ１、ＣＢ２、ＣＢ３とＣＢ４という４個のＣＢを含むと仮定する。その中、端末装置は復号する時に、ＣＢ１とＣＢ２の復号が正しく、ＣＢ１とＣＢ２の復号が失敗した（行われない）。端末装置のバッファのサイズが１ＴＢとする。
【００９８】
2019502274.tif 000022
【００９９】
2019502274.tif 000023
【０１００】
上記の本発明の実施例において、端末装置は基地局から送信された、第一のパラメータを示すための構成シグナリングを受信し、端末が実際に復号が失敗したＴＢの数が第一のパラメータより大きい場合、端末は記憶しようとする復号が失敗したＴＢの数が第一のパラメータ以上であることを確定し、これにより、記憶効率を向上させ、バッファの利用効率を高めることができる。
【０１０１】
図５は本発明の実施例における符号化ブロック記憶方法の適応フローチャートである。図５に示す方法は端末装置によって実行され、該方法は以下のステップを含む。
【０１０２】
Ｓ２１０において、端末装置は基地局から送信されたＴＢを受信し、前記ＴＢが複数のＣＢを含む。
【０１０３】
Ｓ２２０において、端末装置は前記ＴＢの復号に失敗し、且つ前記ＴＢを記憶することを確定する。
【０１０４】
2019502274.tif 000024
【０１０５】
2019502274.tif 000025
【０１０６】
本発明の実施例において、復号が成功するかどうかに対して、ＣＢの記憶する最小ビット数が異なり、これによりバッファの記憶スペースを節約し、組み合わせゲインを向上させることができる。
【０１０７】
また、Ｓ２１０におけるＴＢは主搬送波で伝送される復号が失敗したＴＢであってもよく、又は、ライセンス搬送波で伝送される復号が失敗したＴＢであってもよい。本発明はこれに限定されない。
【０１０８】
他のＣＢは復号が失敗した又は復号が行われないＣＢとして理解されてもよい。又は、他のＣＢはＴＢにおける正しく復号したＣＢ以外のＣＢとして理解されてもよい。
【０１０９】
2019502274.tif 000026
例えば、Ｐの値は基準によって予め定義された値、例えばＮ１であってもよい。例えば、Ｐの値は基地局が制御シグナリングなどにより該端末装置に送信したものであってもよい。例えば、基地局と端末装置はＰを計算する方法を約束できる。例えば、Ｐを計算する方法を約束できることは以下の通りである。
【数１】
2019502274.tif 000027
【０１１０】
2019502274.tif 000028
【０１１１】
即ち、正しく復号したＣＢに対して、記憶する最小ビット数は該ＣＢのシステム情報長さに関連する。
【０１１２】
2019502274.tif 000029
【０１１３】
例えば、Ｑの値は基準によって予め定義された値、例えばＮ２であってもよい。例えば、Ｑの値は基地局が制御シグナリングなどにより該端末装置に送信したものであってもよい。例えば、基地局と端末装置はＱを計算する方法を約束できる。例えば、Ｐを計算する方法を約束できることは以下の通りである。
【数２】
2019502274.tif 000030
2019502274.tif 000031
【０１１４】
即ち、他のＣＢに対して、記憶する最小ビット数は該ＣＢの基地局（送信側）のレートマッチング器に入力された符号化ビット長さに関連する。
【０１１５】
本発明の実施例において、ＰとＱの値は等しくても等しくなくてもよく、ここでこれに限定されない。
【０１１６】
図６は本発明の実施例における端末装置の概略的なブロック図である。図６における端末装置６０は、受信ユニット６０１と確定ユニット６０２を含む。
【０１１７】
受信ユニット６０１は基地局から送信された構成シグナリングを受信するように構成される。
【０１１８】
確定ユニット６０２は受信ユニット６０１により受信された前記構成シグナリングに基づき、第一のパラメータを確定するように構成され、端末装置６０により受信された復号が失敗した伝送ブロックＴＢの数が前記第一のパラメータ以上である場合、端末装置６０がバッファに記憶するＴＢの数は前記第一のパラメータ以上である。
【０１１９】
本発明の実施例において、端末装置は基地局から送信された構成シグナリングに示される第一のパラメータに基づき、記憶する復号が失敗したＴＢを確定し、これにより記憶スペースの利用効率を向上させることができる。
【０１２０】
また、一つの実施例として、前記構成シグナリングは前記第一のパラメータを含む。確定ユニット６０２は該第一のパラメータを直接確定することができる。
【０１２１】
また、別の実施例として、前記構成シグナリングは第二のパラメータを含む。確定ユニット６０２は前記第一のパラメータをＮｎｕｍ＿ＴＢ＝Ｎｒｅｆｅｒ×Ｌとして確定することができる。ここで、前記第一のパラメータはＮｎｕｍ＿ＴＢとして表され、前記第二のパラメータはＮｒｅｆｅｒとして表され、Ｌは予め定義された定数である。
【０１２２】
ここで、Ｌの値はプロトコールによって約束されたものであってもよく、又は、Ｌの値は基地局によって端末装置に配置されたものであってもよく、例えば基地局は制御シグナリング又はスケジューリングシグナリングなどにより端末装置に通知することができる。受信ユニット６０１はさらに基地局から送信された制御シグナリング又はスケジューリングシグナリングを受信するように構成されてもく、該制御シグナリング又はスケジューリングシグナリングはＬの値を含むことが理解できる。
【０１２３】
さらに、確定ユニット６０２はさらに基地局から送信されたＴＢを受信した後、記憶する復号が失敗したＴＢを確定するように構成されてもよい。
【０１２４】
受信ユニット６０１はさらに基地局から送信されたＴＢを受信するように構成されることが理解できる。
【０１２５】
また、一つの例として、確定ユニット６０２は具体的に、端末装置６０により受信された復号が失敗したＴＢの数が前記第一のパラメータより小さい（又は等しい）場合、全ての受信された復号が失敗したＴＢを記憶することを確定するように構成される。
【０１２６】
また、別の例として、確定ユニット６０２は具体的に、端末装置６０により受信された復号が失敗したＴＢの数が前記第一のパラメータ以上である場合、一部又は全ての受信された復号が失敗したＴＢの記憶を確定するように構成される。
【０１２７】
2019502274.tif 000032
【０１２８】
2019502274.tif 000033
【０１２９】
2019502274.tif 000034
【０１３０】
2019502274.tif 000035
【０１３１】
且つ、端末装置６０は優先度順番で復号が失敗したＴＢを記憶するように構成される記憶ユニットをさらに含むことができる。前記記憶ユニットは、具体的には、主搬送波で伝送される復号が失敗したＴＢを優先的に記憶し、その後ライセンス副搬送波で伝送される復号が失敗したＴＢを記憶し、最後アンライセンス搬送波で伝送される復号が失敗したＴＢを記憶することができる。
【０１３２】
即ち、主搬送波で伝送される復号が失敗したＴＢは第一の優先度（最高優先度）を有し、ライセンス副搬送波で伝送される復号が失敗したＴＢは第二の優先度を有し、アンライセンス搬送波で伝送される復号が失敗したＴＢは第三の優先度を有する。
【０１３３】
注意すべきものとして、本発明の実施例において、受信ユニット６０１は送受信機によって実現されてもよく、確定ユニット６０２はプロセッサによって実現されてもよい。図７に示すように、端末装置７０はプロセッサ７０１、送受信機７０２とメモリ７０４を含むことができる。
【０１３４】
ここで、送受信機７０２は基地局から送信された構成シグナリングとデータなどを受信するように構成されてもよく、且つ送受信機７０２は受信機によって置き換えられてもよい。プロセッサ７０１はＴＢに対する復号などに用いられることができる。メモリ７０４はプロセッサ７０１で実行されるコマンドコード、復号が失敗したＴＢなどを記憶するように構成されてもよい。
【０１３５】
端末装置７０における各コンポーネントはバスシステム７０３を介して結合され、バスシステム７０３はデータバスに加えて、電源バス、制御バスと状態信号バスを含む。
【０１３６】
図６に示す端末装置６０又は図７に示す端末装置７０は前記図２に示す方法の実施例における端末装置によって実現される各プロセスを実現することができるため、繰り返しを回避するために、ここでは説明を省略する。
【０１３７】
図８は本発明の実施例における端末装置の別の概略的なブロック図である。図８に示す端末装置８０は受信ユニット８０１と処理ユニット８０２を含む。
【０１３８】
2019502274.tif 000036
【０１３９】
さらに端末装置８０はさらに前記ＴＢを記憶するように構成される記憶ユニットをさらに含むことができる。
【０１４０】
2019502274.tif 000037
【０１４１】
一つの例として、Ｐ及び／又はＱの値は基地局が制御シグナリングにより端末装置８０に送信したものであってもよい。即ち、受信ユニット９０１はさらに基地局から送信された制御シグナリングを受信するように構成されてもよい。
【０１４２】
具体的には、ＰとＱについて前記図５の実施例における説明を参照でき、繰り返しを回避するために、ここでは説明を省略する。
【０１４３】
注意すべきものとして、本発明の実施例において、受信ユニット９０１は送受信機によって実現されてもよく、処理ユニット９０２はプロセッサによって実現されてもよい。図９に示すように、端末装置９０はプロセッサ９０１、送受信機９０２とメモリ９０４を含むことができる。
【０１４４】
ここで、送受信機９０２は基地局から送信された制御シグナリングとＴＢなどを受信するように構成されてもよく、且つ送受信機９０２は受信機によって置き換えられてもよい。プロセッサ９０１はＴＢに対する復号などに用いられることができる。メモリ９０４はプロセッサ９０１で実行されるコマンドコード、ＴＢなどを記憶するように構成されてもよい。
【０１４５】
端末装置９０における各コンポーネントはバスシステム９０３を介して結合され、バスシステム９０３はデータバスに加えて、電源バス、制御バスと状態信号バスを含む。
【０１４６】
図８に示す端末装置８０又は図９に示す端末装置９０は前記図５に示す方法の実施例における端末装置によって実現される各プロセスを実現することができるため、繰り返しを回避するために、ここでは説明を省略する。
【０１４７】
図１０は本発明の実施例における基地局の概略的なブロック図である。図１０に示す基地局１００は確定ユニット１００１と送信ユニット１００２を含む。
【０１４８】
確定ユニット１００１は第一のパラメータを確定するように構成される。
【０１４９】
送信ユニット１００２は端末装置へ構成シグナリングを送信するように構成され、前記端末装置により受信された復号が失敗した伝送ブロックＴＢの数が前記第一のパラメータ以上である場合、前記端末装置がバッファに記憶するＴＢの数が前記第一のパラメータ以上となるように、前記構成シグナリングが確定ユニット１００１によって確定された前記第一のパラメータを示すことに用いられる。
【０１５０】
具体的には、異なる端末装置に対して、基地局１００によって確定された第一のパラメータの値が異なる。
【０１５１】
また、基地局１００は、（１）集約された搬送波の総数、（２）集約された搬送波におけるアンライセンス搬送波の総数、（３）各メンバ搬送波の帯域幅、（４）時分割複信（ＴＤＤ：Ｔｉｍｅ  Ｄｉｖｉｓｉｏｎ  Ｄｕｐｌｅｘ）のメンバ搬送波における最大ＨＡＲＱプロエス数、（５）各メンバ搬送波における伝送モードのうちの少なくとも一つに基づいて前記第一のパラメータを確定することができる。ここで、伝送モジュラスは最大スペース層数、最大ＴＢ数などであってもよい。また、基地局は他の要因に基づいて第一のパラメータを確定することができるため、ここでは一つずつ挙げない。本発明はこれに限定されない。
【０１５２】
また、一つの実施例として、前記構成シグナリングは前記第一のパラメータを含む。第一のパラメータがＮｎｕｍ＿ＴＢとして表されると、構成シグナリングはＮｎｕｍ＿ＴＢの値を含む。
【０１５３】
また、別の実施例として、前記構成シグナリングは第二のパラメータを含む。前記第一のパラメータがＮｎｕｍ＿ＴＢとして表され、第二のパラメータがＮｒｅｆｅｒとして表され、且つＮｎｕｍ＿ＴＢ＝Ｎｒｅｆｅｒ×Ｌであり、Ｌが予め定義された定数である。
【０１５４】
また、送信ユニット１００２はさらに端末装置へ制御シグナリング又はスケジューリングシグナリングを送信するように構成されてもよく、該制御シグナリング又はスケジューリングシグナリングがＬの値を含む。
【０１５５】
注意すべきものとして、本発明の実施例において、確定ユニット１００１はプロセッサによって実現されてもよく、送信ユニット１００２は送受信機によって実現されてもよく、図１１に示すように、基地局１１０はプロセッサ１１０１、送受信機１１０２とメモリ１１０４を含むことができる。
【０１５６】
ここで、送受信機１１０２は端末装置へ構成シグナリングとデータなどを送信するように構成されてもよく、且つ送受信機１１０２は送信機によって置き換えられててもよい。プロセッサ１１０１は第一のパラメータの値などを確定するように構成されてもよい。メモリ１１０４はメモリ１１０１で実行されるコマンドコードなどを記憶するように構成されてもよい。
【０１５７】
基地局１１０における各コンポーネントはバスシステム１１０３を介して結合され、バスシステム１１０３はデータバスに加えて、電源バス、制御バスと状態信号バスを含む。
【０１５８】
図１０に示す端末装置１００又は図１１に示す端末装置１１０は上述した方法の実施例における基地局によって実現される各プロセスを実現することができるため、繰り返しを回避するために、ここでは説明を省略する。
【０１５９】
本発明の実施例におけるプロセッサは集積回路チップであってもよく、信号処理機能を備える。実現プロセスにおいて、上記方法の実施例における各ステップはプロセッサにおけるハードウェアの集積ロジック回路又はソフトウェア形態のコマンドにより完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェア部材であってもよい。本発明の実施例において開示される各方法、ステップ及びロジックブロック図を実現又は実行することができる。汎用プロセッサはマイクロプロセッサであってもよい又は該プロセッサはいずれかの従来のプロセッサなどであってもよい。本発明の実施例と組み合わせて開示された方法のステップはハードウェア復号プロセッサによって実行されて完了され、又は復号プロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完了する。
【０１６０】
本発明の実施例におけるメモリは揮発性記憶装置又は不揮発性記憶装置であってもよく、又は揮発性記憶装置及び不揮発性記憶装置両者を含むことができることが理解できる。その中、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本明細書に記載のシステムと方法のメモリはこれらといずれかの他の適切なタイプのメモリを含むことを図るがこれらに限定されない。
【０１６１】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計約束条件に依存する。専門技術者は各特定のアプリケーションに対して異なる方法を使用して説明された機能を実現することができるが、このような実現は本発明の範囲を超えていると考えられるべきではない。
【０１６２】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０１６３】
本出願が提供するいくつかの実施例では、開示されたシステム、装置および方法は他の方式により実現されてもよいと理解すべきである。上述した装置の実施例は例示的なものだけであり、例えば、前記ユニットの区分はロジック機能的区分だけであり、実際に実施する時に他の区分方式もあり得て、例えば複数のユニットまたは部材は組み合わせられてもよいまたは別のシステムに統合されてもよく、又はいくつかの特徴は無視されてもよく、又は実行されなくてもよい。また、示されるまたは議論される相互結合又は直接結合又は通信接続はいくつかのインターフェース、装置又はユニットを介する間接的結合又は通信接続であってもよく、電気的、機械的又は他の形態であってもよい。
【０１６４】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、すなわち一つの箇所に位置してもよく、又は複数のネットワークユニットに分布してもよい。実際のニーズに応じてその中の一部または全てのユニットを選択して本実施例の解決策の目的を達成することができる。
【０１６５】
また、本発明の各実施例における各機能ユニットは一つの処理ユニットに統合されてもよく、個々のユニットは単独で物理的に存在してもよく、二つまたは二つ以上のユニットは一つのユニットに統合されてもよい。
【０１６６】
前記機能はソフトウェア機能ユニットの形態で実現され且つ独立した製品として販売または使用される場合，一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶する。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１６７】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【図１】
2019502274.tif 000050
【図２】
2019502274.tif 000051
【図３】
2019502274.tif 000052
【図４】
2019502274.tif 000053
【図５】
2019502274.tif 000054
【図６】
2019502274.tif 000055
【図７】
2019502274.tif 000056
【図８】
2019502274.tif 000057
【図９】
2019502274.tif 000058
【図１０】
2019502274.tif 000059
【図１１】
2019502274.tif 000060
【手続補正書】
【提出日】平成30年5月8日(2018.5.8)
【手続補正１】
【補正対象書類名】明細書
【補正対象項目名】全文
【補正方法】変更
【補正の内容】
【発明の詳細な説明】
【技術分野】
【０００１】
本発明の実施例は通信分野に関し、具体的には、データ記憶方法、端末装置及び基地局に関する。
【背景技術】
【０００２】
長期進化型（ＬＴＥ：Ｌｏｎｇ  Ｔｅｒｍ  Ｅｖｏｌｕｔｉｏｎ）システムにおける物理下りリンク共有チャネル（ＰＤＳＣＨ：Ｐｈｙｓｉｃａ１  Ｄｏｗｎ１ｉｎｋ  Ｓｈａｒｅ  Ｃｈａｎｎｅ１）はハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）機能をサポートし、これにより、データ伝送の信頼性を向上させることができる。具体的には、端末装置は基地局と通信接続を確立した後、基地局から送信された下りリンク制御シグナリング（ＤＣＩ：Ｄｏｗｎ１ｉｎｋ  Ｃｏｎｔｒｏ１  Ｉｎｆｏｒｍａｔｉｏｎ）を受信し、且つＰＤＳＣＨに対応するスケジューリング情報を取得し、例えば、スケジューリング情報が物理リソース位置及び数量、変調符号化レベルなどの内容を含むことができる。その後、端末装置はスケジューリング情報に基づいてＰＤＳＣＨを受信し、且つその中に搬送された伝送ブロック（ＴＢ：Ｔｒａｎｓｐｏｒｔ  Ｂｌｏｃｋ）を復調し、復号することができる。正しく復号する場合、端末装置は基地局へ応答（ＡＣＫ：Ａｃｋｎｏｗｌｅｄｇｅｍｅｎｔ）情報をフィードバックする。復号が失敗した場合、端末装置は基地局へ否定応答（ＮＡＣＫ：Ｎｅｇａｔｉｖｅ  Ａｃｋｎｏｗｌｅｄｇｍｅｎｔ）情報をフィードバックし、さらに、基地局はＮＡＣＫ情報を受信した後に該ＴＢを再送する。
【０００３】
帯域幅の拡張を実現するために、ＬＴＥシステムは搬送波集約（ＣＡ：Ｃａｒｒｉｅｒ  Ａｇｇｒｅｇａｔｉｏｎ）技術を使用し、即ち複数のＬＴＥ搬送波（ＣＣ：Ｃｏｍｐｏｎｅｎｔ  Ｃａｒｒｉｅｒ）を集約し、より大きな伝送帯域幅を実現する。
【０００４】
無線セルラーシステムではアンライセンス周波数帯域を使用することでセルラーシステムの使用頻度を拡張し、例えばライセンス支援アクセス（ＬＡＡ：Ｌｉｃｅｎｓｅ  Ａｓｓｉｓｔｅｄ  Ａｃｃｅｓｓ）技術を使用する。該ＬＡＡ技術によりライセンス搬送波とアンライセンス（Ｕｎｌｉｃｅｎｓｅｄ）搬送波の集約を実現する。
【０００５】
アンライセンス搬送波において話す前に聞く（ＬＢＴ：Ｌｉｓｔｅｎ  Ｂｅｆｏｒｅ  Ｔａｌｋ）という技術が使用され、且つアンライセンス搬送波を使用する端末が一般的に低速又は静止端末であるため、アンライセンス搬送波上の単一伝送のブロックエラー率（ＢＬＥＲ：Ｂｌｏｃｋ  Ｅｒｒｏｒ  Ｒａｔｅ）性能が一般的にライセンス搬送波より良いと考えられる。
【０００６】
しかしながら、アンライセンス搬送波が複数のノードによって共有されて使用されるため、一つの基地局が一つのアンライセンス搬送波を占用する時間は限られる。したがって、従来技術方法として、即ち集約された搬送波の数に基づいて端末装置に記憶された復号が失敗したＴＢの数及び大きさを確定することは、効率が低い。
【発明の概要】
【発明が解決しようとする課題】
【０００７】
本発明の実施例は、端末装置が復号が失敗したＴＢの数を効率的に記憶するためのデータ記憶方法を提供する。
【課題を解決するための手段】
【０００８】
第一の態様によるデータ記憶方法は、端末装置が基地局から送信された構成シグナリングを受信することと、前記端末装置が前記構成シグナリングに基づき、第一のパラメータを確定し、前記端末装置により受信された復号が失敗したＴＢの数が前記第一のパラメータ以上である場合、前記端末装置がバッファに記憶するＴＢの数が前記第一のパラメータ以上であることとを含む。
【０００９】
言い換えれば、前記第一のパラメータは、前記端末装置が記憶する復号が失敗したＴＢの数を確定することに用いられる。
【００１０】
さらに、端末装置が基地局から送信されたＴＢを受信し、その中のＴＢを復号し、且つ第一のパラメータに基づき、記憶する復号が失敗したＴＢを確定することをさらに含むことができる。
【００１１】
これにより、端末装置は基地局から送信された構成シグナリングに示される第一のパラメータに基づき、記憶する復号が失敗したＴＢを確定することができ、これにより記憶スペースの利用率を向上させることができる。その中、記憶スペースはバッファであってもよい。
【００１２】
また、前記構成シグナリングは前記第一のパラメータを含む。これにより、端末装置は構成シグナリングに基づいて直接第一のパラメータを取得することができる。
【００１３】
また、前記構成シグナリングは第二のパラメータを含む。これにより、端末装置は構成シグナリングにおける第二のパラメータに基づき、計算して第一のパラメータを取得することができる。具体的には、端末装置は第一のパラメータをＮｎｕｍ＿ＴＢ＝Ｎｒｅｆｅｒ×Ｌとして確定する。その中、前記第一のパラメータはＮｎｕｍ＿ＴＢとして表され、前記第二のパラメータはＮｒｅｆｅｒとして表され、Ｌは予め定義された定数である。
【００１４】
第一の態様と組み合わせ、第一の可能な実施形態において、前記端末装置により受信された復号が失敗したＴＢの数が前記第一のパラメータ以下である場合、全ての受信された復号が失敗したＴＢを記憶することを確定する。
【００１５】
第一の態様と組み合わせ、第二の可能な実施形態において、前記端末装置により受信された復号が失敗したＴＢの数が前記第一のパラメータより大きい場合、一部又は全ての受信された復号が失敗したＴＢを記憶することを確定する。即ち記憶する復号が失敗したＴＢの数は第一のパラメータ以上である。
【００１６】
ここで、端末装置は優先度順番に基づいて受信された復号が失敗したＴＢを記憶することができる。その中、主搬送波で伝送される復号が失敗したＴＢは第一の優先度を有し、ライセンス搬送波で伝送される復号が失敗したＴＢは第二の優先度を有し、アンライセンス搬送波で伝送される復号が失敗したＴＢは第三の優先度を有する。
【００１７】
第一の態様と組み合わせ、第三の可能な実施形態において、前記端末装置が前記第一のパラメータに基づき、記憶する復号が失敗したＴＢにおける各ＣＢに対して、前記各ＣＢの記憶する最小ビット数ｎＳＢを確定する。
【００１８】
2019502274.tif 000061
【００１９】
2019502274.tif 000062
【００２０】
2019502274.tif 000063
【００２１】
2019502274.tif 000064
【００２２】
2019502274.tif 000065
【００２３】
第三の態様によるデータ記憶のための方法は、基地局が第一のパラメータを確定することと、前記基地局が端末装置へ構成シグナリングを送信し、前記端末装置により受信された復号が失敗した伝送ブロックＴＢの数が前記第一のパラメータ以上である場合、前記端末装置がバッファに記憶するＴＢの数が前記第一のパラメータ以上となるように、前記構成シグナリングが前記第一のパラメータを示すことに用いられることを含む。
【００２４】
言い換えれば、前記第一のパラメータは、前記端末装置が記憶する復号が失敗したＴＢの数を確定することに用いられる。
【００２５】
また、前記構成シグナリングは前記第一のパラメータを含む。これにより、端末装置は構成シグナリングに基づいて直接第一のパラメータを取得することができる。
【００２６】
また、前記構成シグナリングは第二のパラメータを含む。これにより、端末装置は構成シグナリングにおける第二のパラメータに基づき、計算して第一のパラメータを取得することができる。具体的には、端末装置は第一のパラメータをＮｎｕｍ＿ＴＢ＝Ｎｒｅｆｅｒ×Ｌとして確定する。その中、前記第一のパラメータはＮｎｕｍ＿ＴＢとして表され、前記第二のパラメータはＮｒｅｆｅｒとして表され、Ｌは予め定義された定数である。
【００２７】
第四の態様による端末装置は、基地局から送信された構成シグナリングを受信するように構成される受信ユニットと、前記構成シグナリングに基づき、第一のパラメータを確定するように構成され、前記端末装置により受信された復号が失敗した伝送ブロックＴＢの数が前記第一のパラメータ以上である場合、前記端末装置がバッファに記憶するＴＢの数が前記第一のパラメータ以上である確定ユニットとを含む。該端末装置は上記第一の態様及びその実施形態の方法において端末装置によって実行される各プロセスを実行することに用いられることができる。
【００２８】
第五の態様による端末装置は、受信機、プロセッサとメモリを含む。受信機は基地局から送信された構成シグナリングを受信するように構成される。プロセッサは前記構成シグナリングに基づき、第一のパラメータを確定するように構成される。メモリは復号が失敗したＴＢを記憶するように構成される。該端末装置は上記第一の態様及びその実施形態の方法において端末装置によって実行される各プロセッサを実行することに用いられることができる。
【００２９】
2019502274.tif 000066
【００３０】
2019502274.tif 000067
【００３１】
第八の態様による基地局は第一のパラメータを確定するように構成される確定ユニットと、端末装置へ構成シグナリングを送信するように構成され、前記端末装置により受信された復号が失敗した伝送ブロックＴＢの数が前記第一のパラメータ以上である場合、前記端末装置がバッファに記憶するＴＢの数が前記第一のパラメータ以上となるように、前記構成シグナリングが前記第一のパラメータを示すことに用いられる送信ユニットとを含む。
【００３２】
第九の態様による基地局は、送信機、プロセッサとメモリを含む。プロセッサは第一のパラメータを確定するように構成される。送信機は端末装置へ構成シグナリングを送信するように構成され、前記構成シグナリングが前記第一のパラメータを示すことに用いられ、前記第一のパラメータは、前記端末装置が記憶する復号が失敗した伝送ブロックＴＢの数を確定することに用いられる。メモリはプロセッサで実行されるコマンドコードを記憶するように構成される。該基地局は上記第三の態様及びその実施形態の方法において基地局によって実行される各プロセスを実行することに用いられてもよい。
【００３３】
第十の態様によるコンピュータ可読記憶媒体であって、前記コンピュータ可読記憶媒体にプログラムが記憶され、前記プログラムにより端末装置が上記第一の態様及びその様々な実施形態のうちのいずれかのデータ記憶方法を実行する。
【００３４】
第十一の態様によるコンピュータ可読記憶媒体であって、前記コンピュータ可読記憶媒体にプログラムが記憶され、前記プログラムにより端末装置が上記第二の態様及びその様々な実施形態のうちのいずれかのデータ記憶方法を実行する。
【００３５】
上記の本発明の実施例により、端末装置は基地局から送信された、第一のパラメータを示すための構成シグナリングを受信し、端末が実際に復号が失敗したＴＢの数が第一のパラメータより大きい場合、端末は記憶する復号が失敗したＴＢの数を第一のパラメータ以上として確定することで、記憶効率を向上させ、バッファの利用効率を向上させることができる。
【図面の簡単な説明】
【００３６】
【図１】ＬＴＥ搬送波集約技術の模式図である。
【図２】本発明の実施例におけるデータ記憶方法の一つの概略的なフローチャートである。
【図３】本発明の実施例におけるＣＢのビット数を記憶する模式図である。
【図４】本発明の実施例におけるＣＢのビット数を記憶する別の模式図である。
【図５】本発明の実施例における符号化ブロック記憶方法の概略的なフローチャートである。
【図６】本発明の実施例における端末装置の概略的なブロック図である。
【図７】本発明の実施例における端末装置の別の概略的なブロック図である。
【図８】本発明の実施例における端末装置の別の概略的なブロック図である。
【図９】本発明の実施例における端末装置の別の概略的なブロック図である。
【図１０】本発明の実施例における基地局の概略的なブロック図である。
【図１１】本発明の実施例における基地局の別の概略的なブロック図である。
【発明を実施するための形態】
【００３７】
本発明の実施例の技術的な解決策をより明確に説明するため、以下に実施例又は従来技術の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００３８】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００３９】
本明細書に使用される用語「部材」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、部材はプロセッサで実行されているプロセス、プロセッサ、オブジェクト、実行可能ファイル、実行スレッド、プログラム及び/又はコンピュータであってもよいがこれらに限定されない。図面に示すように、コンピュータデバイスで実行されているアプリケーションとコンピュータデバイスは部材であってもよい。一つ以上の部材はプロセス及び／又は実行スレッドに駐在でき、部材は一つのコンピュータに位置し又は２つ以上のコンピュータの間に分布することができる。また、これらの部材は様々なデータ構造を記憶する上記の様々なコンピュータ可読媒体で実行されてもよい。部材は例えば一つ以上のデータグループ（例えばローカルシステム、分散型システム及び／又はネットワーク間の別の部材とインタラクションを行う二つの部材からのデータ、例えば信号により他のシステムとインタラクションを行うインターネット）を有する信号に基づいてローカル及び／又は遠隔プロセスにより通信することができる。
【００４０】
理解すべきものとして、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワールドワイドインターオペラビリティフォーマイクロウェーブアクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、及び将来の５Ｇ通信システムなどに応用されることができる。
【００４１】
本発明は端末装置と組み合わせて各実施例を説明する。端末装置は無線アクセスネットワーク（ＲＡＮ：Ｒａｄｉｏ  Ａｃｃｅｓｓ  Ｎｅｔｗｏｒｋ）を介して一つ以上のコアネットワークと通信することができ、端末はユーザ装置（ＵＥ：Ｕｓｅｒ  Ｅｑｕｉｐｍｅｎｔ）、アクセス端末、加入者ユニット、加入者サイト、移動サイト、移動局、遠隔局、遠隔端末、移動装置、ユーザ端末、端末、無線通信装置、ユーザエージェント又はユーザデバイスであってもよい。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末などであってもよい。
【００４２】
本発明は基地局と組み合わせて各実施例を説明する。基地局は端末装置と通信するためのデバイスであってもよく、例えばＧＳＭシステム又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）であってよく、又は該基地局はリピータ、アクセスポイント、車載デバイス、ウェアラブルデバイス及び将来の５Ｇネットワークにおけるネットワーク側デバイスなどであってもよい。
【００４３】
本発明の一態様のデータ記憶方法は、
端末装置が基地局から送信された構成シグナリングを受信することと、
前記端末装置が前記構成シグナリングに基づき、第一のパラメータを確定し、前記端末装置により受信された復号が失敗したＴＢの数が前記第一のパラメータ以上である場合、前記端末装置がバッファに記憶するＴＢの数が前記第一のパラメータ以上であることとを含む。
【００４４】
また、本発明の一態様のデータ記憶方法は、
前記構成シグナリングは、前記第一のパラメータを含む。
【００４５】
また、本発明の一態様のデータ記憶方法は、
前記構成シグナリングは第二のパラメータを含み、
第一のパラメータを確定することは、前記第一のパラメータをＮｎｕｍ＿ＴＢ＝Ｎｒｅｆｅｒ×Ｌとして確定することを含み、
ここで、前記第一のパラメータがＮｎｕｍ＿ＴＢとして表され、前記第二のパラメータがＮｒｅｆｅｒとして表され、Ｌが予め定義された定数である。
【００４６】
また、本発明の一態様のデータ記憶方法は、
前記端末装置が前記基地局から送信されたＴＢを受信した後、記憶する復号が失敗したＴＢを確定することをさらに含む。
【００４７】
また、本発明の一態様のデータ記憶方法は、
記憶する復号が失敗したＴＢを確定することは、
前記端末装置により受信された復号が失敗したＴＢの数が前記第一のパラメータ以上である場合、前記端末装置が一部又は全ての前記受信された復号が失敗したＴＢを記憶することを確定することを含む。
【００４８】
2019502274.tif 000068
【００４９】
2019502274.tif 000069
【００５０】
2019502274.tif 000070
【００５１】
また、本発明の一態様のデータ記憶方法は、
前記端末装置が一部又は全ての前記受信された復号が失敗したＴＢを記憶することを確定することは、
前記端末装置が優先度に従って、前記一部又は全ての前記受信された復号が失敗したＴＢを記憶することを含み、
ここで、主搬送波で伝送される復号が失敗したＴＢが第一の優先度を有し、ライセンス副搬送波で伝送される復号が失敗したＴＢが第二の優先度を有し、アンライセンス搬送波で伝送される復号が失敗したＴＢが第三の優先度を有する。
【００５２】
2019502274.tif 000071
【００５３】
2019502274.tif 000072
【００５４】
2019502274.tif 000073
【００５５】
本発明の一態様のデータ記憶のための方法は、
基地局が第一のパラメータを確定することと、
前記基地局が端末装置へ構成シグナリングを送信し、前記端末装置により受信された復号が失敗した伝送ブロックＴＢの数が前記第一のパラメータ以上である場合、前記端末装置がバッファに記憶するＴＢの数が前記第一のパラメータ以上となるように、前記構成シグナリングが前記第一のパラメータを示すことに用いられることとを含む。
【００５６】
また、本発明の一態様のデータ記憶のための方法は、
前記構成シグナリングは、前記第一のパラメータを含む。
【００５７】
また、本発明の一態様のデータ記憶のための方法は、
前記構成シグナリングは、第二のパラメータを含み、
前記第一のパラメータがＮｎｕｍ＿ＴＢとして表され、前記第二のパラメータがＮｒｅｆｅｒとして表され、且つＮｎｕｍ＿ＴＢ＝Ｎｒｅｆｅｒ×Ｌであり、Ｌが予め定義された定数である。
【００５８】
本発明の一態様の端末装置は、
基地局から送信された構成シグナリングを受信するように構成される受信ユニットと、
前記構成シグナリングに基づき、第一のパラメータを確定するように構成され、前記端末装置により受信された復号が失敗した伝送ブロックＴＢの数が前記第一のパラメータ以上である場合、前記端末装置がバッファに記憶するＴＢの数が前記第一のパラメータ以上である確定ユニットとを含む。
【００５９】
また、本発明の一態様の端末装置は、
前記構成シグナリングは、前記第一のパラメータを含む。
【００６０】
また、本発明の一態様の端末装置は、
前記構成シグナリングは、第二のパラメータを含み、
前記確定ユニットは、前記第一のパラメータをＮｎｕｍ＿ＴＢ＝Ｎｒｅｆｅｒ×Ｌとして確定するように構成され、
ここで、前記第一のパラメータがＮｎｕｍ＿ＴＢとして表され、前記第二のパラメータがＮｒｅｆｅｒとして表され、Ｌが予め定義された定数である。
【００６１】
また、本発明の一態様の端末装置は、
前記確定ユニットはさらに、
前記基地局から送信されたＴＢを受信した後、記憶する復号が失敗したＴＢを確定するように構成される。
【００６２】
また、本発明の一態様の端末装置は、
前記確定ユニットは、
前記端末装置により受信された復号が失敗したＴＢの数が前記第一のパラメータ以上である場合、一部又は全ての前記受信された復号が失敗したＴＢを記憶することを確定するように構成される。
【００６３】
2019502274.tif 000074
【００６４】
2019502274.tif 000075
【００６５】
2019502274.tif 000076
【００６６】
また、本発明の一態様の端末装置は、
前記端末装置は、記憶ユニットをさらに含み、
前記記憶ユニットは、優先度に従って一部又は全ての前記受信された復号が失敗したＴＢを記憶するように構成され、
ここで、主搬送波で伝送される復号が失敗したＴＢが第一の優先度を有し、ライセンス副搬送波で伝送される復号が失敗したＴＢが第二の優先度を有し、アンライセンス搬送波で伝送される復号が失敗したＴＢが第三の優先度を有する。
【００６７】
2019502274.tif 000077
【００６８】
2019502274.tif 000078
【００６９】
2019502274.tif 000079
【００７０】
本発明の一態様の基地局は、
第一のパラメータを確定するように構成される確定ユニットと、
端末装置へ構成シグナリングを送信するように構成され、前記端末装置により受信された復号が失敗した伝送ブロックＴＢの数が前記第一のパラメータ以上である場合、前記端末装置がバッファに記憶するＴＢの数が前記第一のパラメータ以上となるように、前記構成シグナリングが前記第一のパラメータを示すことに用いられる送信ユニットとを含む。
【００７１】
また、本発明の一態様の基地局は、
前記構成シグナリングは、前記第一のパラメータを含む。
【００７２】
また、本発明の一態様の基地局は、
前記構成シグナリングは、第二のパラメータを含み、
前記第一のパラメータがＮｎｕｍ＿ＴＢとして表され、前記第二のパラメータがＮｒｅｆｅｒとして表され、且つＮｎｕｍ＿ＴＢ＝Ｎｒｅｆｅｒ×Ｌであり、Ｌが予め定義された定数である。
【００７３】
以下に本発明の実施例に係る関連技術及び概念を簡単に説明する。
【００７４】
搬送波集約技術：
通信技術の発展に伴い、ＬＴＥ技術から長期進化技術アップグレード（ＬＴＥ−Ａｄｖａｎｃｅｄ、ＬＴＥ−Ａ）技術が進化する。ＬＴＥ−Ａのリリース１０（Ｒｅｌｅａｓｅ１０）システムにおいて、ＣＡ技術を使用して帯域幅拡張を実現し、即ち、図１に示す最大５個の搬送波ＬＴＥ搬送波ＣＣ１〜ＣＣ５を集約し、最大１００ＭＨｚの伝送帯域幅を実現することができる。その中、集約された搬送波はメンバー搬送波と呼ばれてもよい。端末装置の能力及びそれが伝送するデータ量に応じて、基地局は各端末装置に対してそれが集約して伝送する搬送波の数量を設定することができる。
【００７５】
一つの端末に対して、集約された複数のメンバー搬送波は以下を含む：（１）主搬送波（ＰＣｅｌｌ：Ｐｒｉｍａｒｙ  Ｃｅｌｌ）であって、主搬送波が一つだけであり、端末装置が主搬送波で初期接続確立プロセス又は開始接続再確立プロセスを行い、端末装置が主搬送波のみでＰＤＣＣＨの共通検索スペースを受信し、且つ端末装置が主搬送波のみでＰＵＣＣＨを送信する。（２）副搬送波（ＳＣｅｌｌ：Ｓｅｃｏｎｄａｒｙ  Ｃｅｌｌ）であって、主搬送波以外のメンバー搬送波が全て副搬送波であり、端末装置が副搬送波でＤＣＩ、ＰＤＳＣＨを受信し、且つ副搬送波でＰＵＳＣＨを送信することができる。
【００７６】
ＬＡＡ技術：
現在、無線セルラーシステムにおいてアンライセンス周波数帯（Ｕｎｌｉｃｅｎｓｅｄ周波数帯、例えば２．４ＧＨｚ、５．８ＧＨｚなどの周波数帯）を使用してセルラーシステムの使用頻度を拡張することが考えられ、主要な技術はＬＡＡ技術を含む。ＬＡＡ技術の主な特徴は以下を含む：（１）アンライセンス周波数帯がライセンス周波数と集約して使用される必要があり、且つアンライセンス周波数が副搬送波のみとして動作することができる。ＬＡＡ技術をより良くサポートするために、ＬＴＥ−Ａリリース１３（Ｒ１３：Ｒｅｌｅａｓｅ１３）システムは最大３２個のメンバー搬送波の集約をサポートすることができる。（２）アンライセンス周波数帯の使用は基地局のスケジューリングだけでなく、アンライセンス周波数帯の負荷に制限され、即ち使用できるために競争的メカニズムを通過する必要がある。
【００７７】
2019502274.tif 000080
【００７８】
2019502274.tif 000081
【００７９】
2019502274.tif 000082
【００８０】
2019502274.tif 000083
【００８１】
これにより、復号が失敗したＴＢを記憶する過程において、まず端末装置のバッファを集約された搬送波に基づいて均分した後、さらに各搬送波内の伝送モード、ＨＡＲＱプロセス数などに基づいて均分することが分かる。
【００８２】
しかしながら、アンライセンス搬送波が複数のノードによって共有されて使用されるため、一つの基地局が一つのアンライセンス搬送波を占用する時間は限られる。したがって、従来技術方法として、即ち集約された搬送波の数に基づいて端末装置に記憶する復号が失敗したＴＢの数及び大きさを確定することは、効率が低下する。
【００８３】
本発明の実施例において、基地局によって予めパラメータを定義し、これにより、端末装置が実際に復号が失敗したＴＢの数が該パラメータより大きい場合、端末装置に記憶する復号が失敗したＴＢの数は、少なくとも該パラメータとする。即ち、本発明の実施例において、集約された搬送波の数に基づいて記憶する復号が失敗したＴＢの数を確定する必要がなく、これにより記憶効率を向上させることができる。
【００８４】
具体的には、本発明の実施例において提供されるデータ記憶方法は図２に示すように、Ｓ１１０及びＳ１２０を含むことができる。
【００８５】
Ｓ１１０において、端末装置は基地局から送信された構成シグナリングを受信する。
【００８６】
Ｓ１２０において、端末装置は前記構成シグナリングに基づき、第一のパラメータを確定し、前記端末装置により受信された復号が失敗した伝送ブロックＴＢの数が前記第一のパラメータ以上である場合、前記端末装置がバッファに記憶するＴＢの数は前記第一のパラメータ以上である。
【００８７】
本発明の実施例において、端末装置が基地局から送信された構成シグナリングに示される第一のパラメータに基づいて、端末装置により受信された復号が失敗したＴＢの数が第一のパラメータの数以上である場合、端末装置のバッファに記憶する復号が失敗したＴＢの数が該第一のパラメータ以上となり、これにより記憶スペースの利用率を向上させることができる。その中、記憶スペースはバッファであってもよい。
【００８８】
理解すべきものとして、Ｓ１１０の前に、基地局はまず第一のパラメータを確定し、次に基地局は構成シグナリングを端末装置に送信し、その中、該構成シグナリングは第一のパラメータを示すことに用いられる。
【００８９】
具体的には、異なる端末装置に対して、基地局により確定された第一のパラメータの値も異なる。
【００９０】
また、基地局は、（１）集約された搬送波の総数、（２）集約された搬送波におけるアンライセンス搬送波の総数、（３）各メンバ搬送波の帯域幅、（４）時分割複信（ＴＤＤ：Ｔｉｍｅ  Ｄｉｖｉｓｉｏｎ  Ｄｕｐｌｅｘ）のメンバ搬送波における最大ＨＡＲＱプロエス数、（５）各メンバ搬送波における伝送モードのうちの少なくとも一つに基づいて前記第一のパラメータを確定することができる。ここで、伝送モジュラスは最大スペース層数、最大ＴＢ数などであってもよい。また、基地局は他の要因に基づいて第一のパラメータを確定することがで、ここでは一つずつ挙げしない。本発明はこれに限定されない。
【００９１】
一つの実施形態として、構成シグナリングは第一のパラメータを含む。即ち、構成シグナリングは第一のパラメータの値を直接に示す。例えば、構成シグナリングの第一のフィールドに値Ａが記入される。これにより、端末装置は構成シグナリングの第一のフィールドに値Ａを読み取ると、読み取られた値を第一のパラメータの値として確定できる。その中、第一のフィールドは基地局と端末装置によって予め約束されたもの又はプロトコルによって約束されたものであってもよい。
【００９２】
別の実施形態として、構成シグナリングは第二のパラメータを含み、第一のパラメータは第二のパラメータに基づいて確定されてもよい。即ち、構成シグナリングは第一のパラメータの値を間接的に示す。例えば、構成シグナリングの第二のフィールドに値Ｂが記入される。これにより、端末装置は構成シグナリングの第二のフィールドに値Ｂを読み取ると、読み取られた値を第二のパラメータの値として確定できる。その中、第二のフィールドは基地局と端末装置によって予め約束されたもの又はプロトコルによって約束されたものであってもよい。
【００９３】
ここで、第一のパラメータと第二のパラメータの関係は以下のように示されてもよい。
【００９４】
第一のパラメータがＮｎｕｍ＿ＴＢとして表され、第二のパラメータがＮｒｅｆｅｒとして表されると、第二のパラメータに基づいて第一のパラメータを確定する関係は、Ｎｎｕｍ＿ＴＢ＝Ｎｒｅｆｅｒ×Ｌである。その中、Ｌは予め定義された定数である。
【００９５】
ここで、Ｌは定数であり、例えばＬ＝８又はＬ＝１６である。具体的には、Ｌの値はプロトコールによって約束されたものであってもよく、又は、Ｌの値は基地局によって端末装置に配置されたものであってもよく、例えば基地局は制御シグナリング又はスケジューリングシグナリングなどにより端末装置に通知することができる。
【００９６】
上記の説明を参照し、一例として、Ｓ１２０では、端末装置により読み取られた該構成シグナリングの第一のフィールドがＡである場合、第一のパラメータがＮｎｕｍ＿ＴＢ＝Ａである。端末装置により読み取られた該構成シグナリングの第二のフィールドがＢである場合、第一のパラメータがＮｎｕｍ＿ＴＢ＝Ａ×Ｌである。
【００９７】
これにより、端末装置はＳ１２０で第一のパラメータを確定した後、次のデータ伝送過程において、該第一のパラメータに基づいて、記憶しようとする復号が失敗したＴＢの数を確定し、さらに復号が失敗したＴＢを記憶することができる。
【００９８】
即ち、Ｓ１２０の後、端末装置が基地局から送信されたＴＢを受信した後に、記憶する復号が失敗したＴＢを確定することを含むことができる。
【００９９】
Ｓ１２０の後、端末装置は基地局から送信されたデータ（例えばＰＤＳＣＨ）を受信し、且つその中に搬送されたＴＢを復号することができる。復号した後、端末装置は実際に復号が失敗したＴＢの数を得ることができる。
【０１００】
具体的には、端末装置が実際に復号が失敗したＴＢの数が第一のパラメータ以下である場合、記憶しようとする復号が失敗したＴＢの数が実際に復号が失敗したＴＢの数に等しいことを確定することができる。さらに、端末装置は実際に復号が失敗したＴＢを記憶することができる。
【０１０１】
即ち、端末装置により受信された復号が失敗したＴＢの数が第一のパラメータより小さい（又は等しい）場合、端末装置は全ての受信された復号が失敗したＴＢを記憶することを確定する。
【０１０２】
注意すべきものとして、本発明の実施例において、同じＴＢに対して、複数回再送しても失敗した場合、一つの復号が失敗したＴＢとして記する。即ち、実際に復号が失敗したＴＢにおいて、異なるＴＢが相異する。
【０１０３】
具体的には、端末装置が実際に復号が失敗したＴＢの数が第一のパラメータより大きい（又は等しい）場合、記憶しようとする復号が失敗したＴＢの数が第一のパラメータ以上であることを確定することができる。
【０１０４】
即ち、端末装置により受信された復号が失敗したＴＢの数が第一のパラメータより大きい（又は等しい）場合、端末装置は一部又は全ての受信された復号が失敗したＴＢを記憶することを確定する。即ち記憶する復号が失敗したＴＢの数が第一のパラメータ以上である。即ち端末装置は少なくともＮｎｕｍ＿ＴＢつの復号が失敗したＴＢを記憶する。
【０１０５】
注意すべきものとして、上記の２種類の説明では端末装置により受信された復号が失敗したＴＢの数が第一のパラメータに等しい時の様子が一致し、いずれも端末装置が全ての受信された復号が失敗したＴＢを記憶することを確定し、即ち記憶された復号が失敗したＴＢの数が第一のパラメータに等しいことである。
【０１０６】
本発明の実施例において、第一のパラメータは端末装置がそのバッファに記憶する復号が失敗したＴＢの数の上限の最小値であると考えられてもよい。具体的には、第一のパラメータは端末装置が実際に復号が失敗したＴＢの数が第一のパラメータ以上である場合、端末装置が記憶する復号が失敗した数の最小値を意味する。
【０１０７】
2019502274.tif 000084
【０１０８】
2019502274.tif 000085
【０１０９】
具体的には、端末装置はＮｎｕｍ＿ｆａｉｌ個の復号が失敗したＴＢからその中のＮｓｔｏｒｅ＿ＮＢ個選択して記憶することができる。且つ、端末装置は残りのＮｎｕｍ＿ｆａｉｌ−Ｎｓｔｏｒｅ＿ＮＢ個の復号が失敗したＴＢを捨てる。
【０１１０】
また、端末装置は優先度順番で復号が失敗したＴＢを記憶することができ、具体的には、主搬送波で伝送される復号が失敗したＴＢを優先的に記憶し、その後ライセンス副搬送波で伝送される復号が失敗したＴＢを記憶し、最後アンライセンス搬送波で伝送される復号が失敗したＴＢを記憶することができる。
【０１１１】
即ち、主搬送波で伝送される復号が失敗したＴＢは第一の優先度（最高優先度）を有し、ライセンス副搬送波で伝送される復号が失敗したＴＢは第二の優先度を有し、アンライセンス搬送波で伝送される復号が失敗したＴＢは第三の優先度を有する。
【０１１２】
以下、Ｎｓｔｏｒｅ＿ＮＢ＝Ｎｎｕｍ＿ＴＢを例として説明する。
【０１１３】
2019502274.tif 000086
【０１１４】
Ｎｎｕｍ＿ｆａｉｌ＞Ｎｎｕｍ＿ＴＢの場合、端末装置はまずアンライセンス搬送波で伝送される復号が失敗したＴＢを捨てる。
【０１１５】
2019502274.tif 000087
【０１１６】
さらに、端末装置が全てのアンライセンス搬送波で伝送される復号が失敗したＴＢを捨てた後の記憶するＴＢの数が依然としてＮｎｕｍ＿ＴＢより大きく、即ちＮｎｕｍ＿ｆａｉｌ−Ｎｎｕｍ＿ｕｎｌｉｃｅｎ＞Ｎｎｕｍ＿ＴＢとする場合、端末装置は一部のライセンス搬送波で伝送される復号が失敗したＴＢを捨てる。
【０１１７】
さらに、端末装置が全てのライセンス搬送波で伝送される復号が失敗したＴＢを捨てた後の記憶するＴＢの数が依然としてＮｎｕｍ＿ＴＢより大きく、即ちＮｎｕｍ＿ｐｒｉ＞Ｎｎｕｍ＿ＴＢとする場合、端末装置は一部の主搬送波で伝送される復号が失敗したＴＢを捨てる。
【０１１８】
2019502274.tif 000088
【０１１９】
2019502274.tif 000089
【０１２０】
2019502274.tif 000090
【０１２１】
2019502274.tif 000091
【０１２２】
2019502274.tif 000092
【０１２３】
他のＣＢは、復号が失敗した又は復号しないＣＢとして理解されてもよい。又は、他のＣＢはＴＢにおける正しく復号したＣＢ以外のＣＢとして理解されてもよい。
【０１２４】
2019502274.tif 000093
【０１２５】
2019502274.tif 000094
【０１２６】
具体的には、端末装置がＮｎｕｍ＿ｆａｉｌ個の復号が失敗したＴＢにおける第一のＴＢの記憶を確定すると仮定する。さらに、端末装置は記憶しようとする該第一のＴＢにおける各ＣＢのビット数を確定することができる。本発明の実施例において各ＣＢのバッファに記憶する符号化ビット数の最小値が確定されることが理解できる。
【０１２７】
2019502274.tif 000095
【０１２８】
2019502274.tif 000096
【０１２９】
2019502274.tif 000097
【０１３０】
例えば、一つのＴＢがＣＢ１、ＣＢ２、ＣＢ３とＣＢ４という４個のＣＢを含むと仮定する。その中、端末装置は復号する時に、ＣＢ１とＣＢ２の復号が正しく、ＣＢ１とＣＢ２の復号が失敗した（行われない）。端末装置のバッファのサイズが１ＴＢとする。
【０１３１】
2019502274.tif 000098
【０１３２】
2019502274.tif 000099
【０１３３】
上記の本発明の実施例において、端末装置は基地局から送信された、第一のパラメータを示すための構成シグナリングを受信し、端末が実際に復号が失敗したＴＢの数が第一のパラメータより大きい場合、端末は記憶しようとする復号が失敗したＴＢの数が第一のパラメータ以上であることを確定し、これにより、記憶効率を向上させ、バッファの利用効率を高めることができる。
【０１３４】
図５は本発明の実施例における符号化ブロック記憶方法の適応フローチャートである。図５に示す方法は端末装置によって実行され、該方法は以下のステップを含む。
【０１３５】
Ｓ２１０において、端末装置は基地局から送信されたＴＢを受信し、前記ＴＢが複数のＣＢを含む。
【０１３６】
Ｓ２２０において、端末装置は前記ＴＢの復号に失敗し、且つ前記ＴＢを記憶することを確定する。
【０１３７】
2019502274.tif 000100
【０１３８】
2019502274.tif 000101
【０１３９】
本発明の実施例において、復号が成功するかどうかに対して、ＣＢの記憶する最小ビット数が異なり、これによりバッファの記憶スペースを節約し、組み合わせゲインを向上させることができる。
【０１４０】
また、Ｓ２１０におけるＴＢは主搬送波で伝送される復号が失敗したＴＢであってもよく、又は、ライセンス搬送波で伝送される復号が失敗したＴＢであってもよい。本発明はこれに限定されない。
【０１４１】
他のＣＢは復号が失敗した又は復号が行われないＣＢとして理解されてもよい。又は、他のＣＢはＴＢにおける正しく復号したＣＢ以外のＣＢとして理解されてもよい。
【０１４２】
2019502274.tif 000102
【０１４３】
例えば、Ｐの値は基準によって予め定義された値、例えばＮ１であってもよい。例えば、Ｐの値は基地局が制御シグナリングなどにより該端末装置に送信したものであってもよい。例えば、基地局と端末装置はＰを計算する方法を約束できる。例えば、Ｐを計算する方法を約束できることは以下の通りである。
【０１４４】
2019502274.tif 000103
【０１４５】
2019502274.tif 000104
【０１４６】
即ち、正しく復号したＣＢに対して、記憶する最小ビット数は該ＣＢのシステム情報長さに関連する。
【０１４７】
2019502274.tif 000105
【０１４８】
例えば、Ｑの値は基準によって予め定義された値、例えばＮ２であってもよい。例えば、Ｑの値は基地局が制御シグナリングなどにより該端末装置に送信したものであってもよい。例えば、基地局と端末装置はＱを計算する方法を約束できる。例えば、Ｐを計算する方法を約束できることは以下の通りである。
【０１４９】
2019502274.tif 000106
【０１５０】
2019502274.tif 000107
【０１５１】
即ち、他のＣＢに対して、記憶する最小ビット数は該ＣＢの基地局（送信側）のレートマッチング器に入力された符号化ビット長さに関連する。
【０１５２】
本発明の実施例において、ＰとＱの値は等しくても等しくなくてもよく、ここでこれに限定されない。
【０１５３】
図６は本発明の実施例における端末装置の概略的なブロック図である。図６における端末装置６０は、受信ユニット６０１と確定ユニット６０２を含む。
【０１５４】
受信ユニット６０１は基地局から送信された構成シグナリングを受信するように構成される。
【０１５５】
確定ユニット６０２は受信ユニット６０１により受信された前記構成シグナリングに基づき、第一のパラメータを確定するように構成され、端末装置６０により受信された復号が失敗した伝送ブロックＴＢの数が前記第一のパラメータ以上である場合、端末装置６０がバッファに記憶するＴＢの数は前記第一のパラメータ以上である。
【０１５６】
本発明の実施例において、端末装置は基地局から送信された構成シグナリングに示される第一のパラメータに基づき、記憶する復号が失敗したＴＢを確定し、これにより記憶スペースの利用効率を向上させることができる。
【０１５７】
また、一つの実施例として、前記構成シグナリングは前記第一のパラメータを含む。確定ユニット６０２は該第一のパラメータを直接確定することができる。
【０１５８】
また、別の実施例として、前記構成シグナリングは第二のパラメータを含む。確定ユニット６０２は前記第一のパラメータをＮｎｕｍ＿ＴＢ＝Ｎｒｅｆｅｒ×Ｌとして確定することができる。ここで、前記第一のパラメータはＮｎｕｍ＿ＴＢとして表され、前記第二のパラメータはＮｒｅｆｅｒとして表され、Ｌは予め定義された定数である。
【０１５９】
ここで、Ｌの値はプロトコールによって約束されたものであってもよく、又は、Ｌの値は基地局によって端末装置に配置されたものであってもよく、例えば基地局は制御シグナリング又はスケジューリングシグナリングなどにより端末装置に通知することができる。受信ユニット６０１はさらに基地局から送信された制御シグナリング又はスケジューリングシグナリングを受信するように構成されてもく、該制御シグナリング又はスケジューリングシグナリングはＬの値を含むことが理解できる。
【０１６０】
さらに、確定ユニット６０２はさらに基地局から送信されたＴＢを受信した後、記憶する復号が失敗したＴＢを確定するように構成されてもよい。
【０１６１】
受信ユニット６０１はさらに基地局から送信されたＴＢを受信するように構成されることが理解できる。
【０１６２】
また、一つの例として、確定ユニット６０２は具体的に、端末装置６０により受信された復号が失敗したＴＢの数が前記第一のパラメータより小さい（又は等しい）場合、全ての受信された復号が失敗したＴＢを記憶することを確定するように構成される。
【０１６３】
また、別の例として、確定ユニット６０２は具体的に、端末装置６０により受信された復号が失敗したＴＢの数が前記第一のパラメータ以上である場合、一部又は全ての受信された復号が失敗したＴＢの記憶を確定するように構成される。
【０１６４】
2019502274.tif 000108
【０１６５】
2019502274.tif 000109
【０１６６】
2019502274.tif 000110
【０１６７】
2019502274.tif 000111
【０１６８】
且つ、端末装置６０は優先度順番で復号が失敗したＴＢを記憶するように構成される記憶ユニットをさらに含むことができる。前記記憶ユニットは、具体的には、主搬送波で伝送される復号が失敗したＴＢを優先的に記憶し、その後ライセンス副搬送波で伝送される復号が失敗したＴＢを記憶し、最後アンライセンス搬送波で伝送される復号が失敗したＴＢを記憶することができる。
【０１６９】
即ち、主搬送波で伝送される復号が失敗したＴＢは第一の優先度（最高優先度）を有し、ライセンス副搬送波で伝送される復号が失敗したＴＢは第二の優先度を有し、アンライセンス搬送波で伝送される復号が失敗したＴＢは第三の優先度を有する。
【０１７０】
注意すべきものとして、本発明の実施例において、受信ユニット６０１は送受信機によって実現されてもよく、確定ユニット６０２はプロセッサによって実現されてもよい。図７に示すように、端末装置７０はプロセッサ７０１、送受信機７０２とメモリ７０４を含むことができる。
【０１７１】
ここで、送受信機７０２は基地局から送信された構成シグナリングとデータなどを受信するように構成されてもよく、且つ送受信機７０２は受信機によって置き換えられてもよい。プロセッサ７０１はＴＢに対する復号などに用いられることができる。メモリ７０４はプロセッサ７０１で実行されるコマンドコード、復号が失敗したＴＢなどを記憶するように構成されてもよい。
【０１７２】
端末装置７０における各コンポーネントはバスシステム７０３を介して結合され、バスシステム７０３はデータバスに加えて、電源バス、制御バスと状態信号バスを含む。
【０１７３】
図６に示す端末装置６０又は図７に示す端末装置７０は前記図２に示す方法の実施例における端末装置によって実現される各プロセスを実現することができるため、繰り返しを回避するために、ここでは説明を省略する。
【０１７４】
図８は本発明の実施例における端末装置の別の概略的なブロック図である。図８に示す端末装置８０は受信ユニット８０１と処理ユニット８０２を含む。
【０１７５】
2019502274.tif 000112
【０１７６】
さらに端末装置８０はさらに前記ＴＢを記憶するように構成される記憶ユニットをさらに含むことができる。
【０１７７】
2019502274.tif 000113
【０１７８】
一つの例として、Ｐ及び／又はＱの値は基地局が制御シグナリングにより端末装置８０に送信したものであってもよい。即ち、受信ユニット９０１はさらに基地局から送信された制御シグナリングを受信するように構成されてもよい。
【０１７９】
具体的には、ＰとＱについて前記図５の実施例における説明を参照でき、繰り返しを回避するために、ここでは説明を省略する。
【０１８０】
注意すべきものとして、本発明の実施例において、受信ユニット９０１は送受信機によって実現されてもよく、処理ユニット９０２はプロセッサによって実現されてもよい。図９に示すように、端末装置９０はプロセッサ９０１、送受信機９０２とメモリ９０４を含むことができる。
【０１８１】
ここで、送受信機９０２は基地局から送信された制御シグナリングとＴＢなどを受信するように構成されてもよく、且つ送受信機９０２は受信機によって置き換えられてもよい。プロセッサ９０１はＴＢに対する復号などに用いられることができる。メモリ９０４はプロセッサ９０１で実行されるコマンドコード、ＴＢなどを記憶するように構成されてもよい。
【０１８２】
端末装置９０における各コンポーネントはバスシステム９０３を介して結合され、バスシステム９０３はデータバスに加えて、電源バス、制御バスと状態信号バスを含む。
【０１８３】
図８に示す端末装置８０又は図９に示す端末装置９０は前記図５に示す方法の実施例における端末装置によって実現される各プロセスを実現することができるため、繰り返しを回避するために、ここでは説明を省略する。
【０１８４】
図１０は本発明の実施例における基地局の概略的なブロック図である。図１０に示す基地局１００は確定ユニット１００１と送信ユニット１００２を含む。
【０１８５】
確定ユニット１００１は第一のパラメータを確定するように構成される。
【０１８６】
送信ユニット１００２は端末装置へ構成シグナリングを送信するように構成され、前記端末装置により受信された復号が失敗した伝送ブロックＴＢの数が前記第一のパラメータ以上である場合、前記端末装置がバッファに記憶するＴＢの数が前記第一のパラメータ以上となるように、前記構成シグナリングが確定ユニット１００１によって確定された前記第一のパラメータを示すことに用いられる。
【０１８７】
具体的には、異なる端末装置に対して、基地局１００によって確定された第一のパラメータの値が異なる。
【０１８８】
また、基地局１００は、（１）集約された搬送波の総数、（２）集約された搬送波におけるアンライセンス搬送波の総数、（３）各メンバ搬送波の帯域幅、（４）時分割複信（ＴＤＤ：Ｔｉｍｅ  Ｄｉｖｉｓｉｏｎ  Ｄｕｐｌｅｘ）のメンバ搬送波における最大ＨＡＲＱプロエス数、（５）各メンバ搬送波における伝送モードのうちの少なくとも一つに基づいて前記第一のパラメータを確定することができる。ここで、伝送モジュラスは最大スペース層数、最大ＴＢ数などであってもよい。また、基地局は他の要因に基づいて第一のパラメータを確定することができるため、ここでは一つずつ挙げない。本発明はこれに限定されない。
【０１８９】
また、一つの実施例として、前記構成シグナリングは前記第一のパラメータを含む。第一のパラメータがＮｎｕｍ＿ＴＢとして表されると、構成シグナリングはＮｎｕｍ＿ＴＢの値を含む。
【０１９０】
また、別の実施例として、前記構成シグナリングは第二のパラメータを含む。前記第一のパラメータがＮｎｕｍ＿ＴＢとして表され、第二のパラメータがＮｒｅｆｅｒとして表され、且つＮｎｕｍ＿ＴＢ＝Ｎｒｅｆｅｒ×Ｌであり、Ｌが予め定義された定数である。
【０１９１】
また、送信ユニット１００２はさらに端末装置へ制御シグナリング又はスケジューリングシグナリングを送信するように構成されてもよく、該制御シグナリング又はスケジューリングシグナリングがＬの値を含む。
【０１９２】
注意すべきものとして、本発明の実施例において、確定ユニット１００１はプロセッサによって実現されてもよく、送信ユニット１００２は送受信機によって実現されてもよく、図１１に示すように、基地局１１０はプロセッサ１１０１、送受信機１１０２とメモリ１１０４を含むことができる。
【０１９３】
ここで、送受信機１１０２は端末装置へ構成シグナリングとデータなどを送信するように構成されてもよく、且つ送受信機１１０２は送信機によって置き換えられててもよい。プロセッサ１１０１は第一のパラメータの値などを確定するように構成されてもよい。メモリ１１０４はメモリ１１０１で実行されるコマンドコードなどを記憶するように構成されてもよい。
【０１９４】
基地局１１０における各コンポーネントはバスシステム１１０３を介して結合され、バスシステム１１０３はデータバスに加えて、電源バス、制御バスと状態信号バスを含む。
【０１９５】
図１０に示す端末装置１００又は図１１に示す端末装置１１０は上述した方法の実施例における基地局によって実現される各プロセスを実現することができるため、繰り返しを回避するために、ここでは説明を省略する。
【０１９６】
本発明の実施例におけるプロセッサは集積回路チップであってもよく、信号処理機能を備える。実現プロセスにおいて、上記方法の実施例における各ステップはプロセッサにおけるハードウェアの集積ロジック回路又はソフトウェア形態のコマンドにより完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェア部材であってもよい。本発明の実施例において開示される各方法、ステップ及びロジックブロック図を実現又は実行することができる。汎用プロセッサはマイクロプロセッサであってもよい又は該プロセッサはいずれかの従来のプロセッサなどであってもよい。本発明の実施例と組み合わせて開示された方法のステップはハードウェア復号プロセッサによって実行されて完了され、又は復号プロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完了する。
【０１９７】
本発明の実施例におけるメモリは揮発性記憶装置又は不揮発性記憶装置であってもよく、又は揮発性記憶装置及び不揮発性記憶装置両者を含むことができることが理解できる。その中、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本明細書に記載のシステムと方法のメモリはこれらといずれかの他の適切なタイプのメモリを含むことを図るがこれらに限定されない。
【０１９８】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計約束条件に依存する。専門技術者は各特定のアプリケーションに対して異なる方法を使用して説明された機能を実現することができるが、このような実現は本発明の範囲を超えていると考えられるべきではない。
【０１９９】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０２００】
本出願が提供するいくつかの実施例では、開示されたシステム、装置および方法は他の方式により実現されてもよいと理解すべきである。上述した装置の実施例は例示的なものだけであり、例えば、前記ユニットの区分はロジック機能的区分だけであり、実際に実施する時に他の区分方式もあり得て、例えば複数のユニットまたは部材は組み合わせられてもよいまたは別のシステムに統合されてもよく、又はいくつかの特徴は無視されてもよく、又は実行されなくてもよい。また、示されるまたは議論される相互結合又は直接結合又は通信接続はいくつかのインターフェース、装置又はユニットを介する間接的結合又は通信接続であってもよく、電気的、機械的又は他の形態であってもよい。
【０２０１】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、すなわち一つの箇所に位置してもよく、又は複数のネットワークユニットに分布してもよい。実際のニーズに応じてその中の一部または全てのユニットを選択して本実施例の解決策の目的を達成することができる。
【０２０２】
また、本発明の各実施例における各機能ユニットは一つの処理ユニットに統合されてもよく、個々のユニットは単独で物理的に存在してもよく、二つまたは二つ以上のユニットは一つのユニットに統合されてもよい。
【０２０３】
前記機能はソフトウェア機能ユニットの形態で実現され且つ独立した製品として販売または使用される場合，一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶する。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２０４】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【手続補正２】
【補正対象書類名】特許請求の範囲
【補正対象項目名】全文
【補正方法】変更
【補正の内容】
【特許請求の範囲】
【請求項１】
データ記憶方法であって、
端末装置が基地局から送信された構成シグナリングを受信することと、
前記端末装置が前記構成シグナリングに基づき、第一のパラメータを確定し、前記端末装置により受信された復号が失敗したＴＢの数が前記第一のパラメータ以上である場合、前記端末装置がバッファに記憶するＴＢの数が前記第一のパラメータ以上であることとを含む、前記データ記憶方法。
【請求項２】
前記構成シグナリングは、前記第一のパラメータを含むことを特徴とする
請求項１に記載の方法。
【請求項３】
前記構成シグナリングは第二のパラメータを含み、
第一のパラメータを確定することは、前記第一のパラメータをＮｎｕｍ＿ＴＢ＝Ｎｒｅｆｅｒ×Ｌとして確定することを含み、
ここで、前記第一のパラメータがＮｎｕｍ＿ＴＢとして表され、前記第二のパラメータがＮｒｅｆｅｒとして表され、Ｌが予め定義された定数であることを特徴とする
請求項１または２に記載の方法。
【請求項４】
前記端末装置が前記基地局から送信されたＴＢを受信した後、記憶する復号が失敗したＴＢを確定することをさらに含むことを特徴とする
請求項１〜３のいずれか１項に記載の方法。
【請求項５】
記憶する復号が失敗したＴＢを確定することは、
前記端末装置により受信された復号が失敗したＴＢの数が前記第一のパラメータ以上である場合、前記端末装置が一部又は全ての前記受信された復号が失敗したＴＢを記憶することを確定することを含むことを特徴とする
請求項４に記載の方法。
【請求項６】
2019502274.tif 000114
【請求項７】
2019502274.tif 000115
【請求項８】
2019502274.tif 000116
【請求項９】
前記端末装置が一部又は全ての前記受信された復号が失敗したＴＢを記憶することを確定することは、
前記端末装置が優先度に従って、前記一部又は全ての前記受信された復号が失敗したＴＢを記憶することを含み、
ここで、主搬送波で伝送される復号が失敗したＴＢが第一の優先度を有し、ライセンス副搬送波で伝送される復号が失敗したＴＢが第二の優先度を有し、アンライセンス搬送波で伝送される復号が失敗したＴＢが第三の優先度を有することを特徴とする
請求項５に記載の方法。
【請求項１０】
2019502274.tif 000117
【請求項１１】
データ記憶のための方法であって、
基地局が第一のパラメータを確定することと、
前記基地局が端末装置へ構成シグナリングを送信し、前記端末装置により受信された復号が失敗した伝送ブロックＴＢの数が前記第一のパラメータ以上である場合、前記端末装置がバッファに記憶するＴＢの数が前記第一のパラメータ以上となるように、前記構成シグナリングが前記第一のパラメータを示すことに用いられることとを含む、前記データ記憶のための方法。
【請求項１２】
前記構成シグナリングは、前記第一のパラメータを含むことを特徴とする
請求項１１に記載の方法。
【請求項１３】
前記構成シグナリングは、第二のパラメータを含み、
前記第一のパラメータがＮｎｕｍ＿ＴＢとして表され、前記第二のパラメータがＮｒｅｆｅｒとして表され、且つＮｎｕｍ＿ＴＢ＝Ｎｒｅｆｅｒ×Ｌであり、Ｌが予め定義された定数であることを特徴とする
請求項１１に記載の方法。
【請求項１４】
端末装置であって、
基地局から送信された構成シグナリングを受信するように構成される受信ユニットと、
前記構成シグナリングに基づき、第一のパラメータを確定するように構成され、前記端末装置により受信された復号が失敗した伝送ブロックＴＢの数が前記第一のパラメータ以上である場合、前記端末装置がバッファに記憶するＴＢの数が前記第一のパラメータ以上である確定ユニットとを含む、前記端末装置。
【請求項１５】
基地局であって、
第一のパラメータを確定するように構成される確定ユニットと、
端末装置へ構成シグナリングを送信するように構成され、前記端末装置により受信された復号が失敗した伝送ブロックＴＢの数が前記第一のパラメータ以上である場合、前記端末装置がバッファに記憶するＴＢの数が前記第一のパラメータ以上となるように、前記構成シグナリングが前記第一のパラメータを示すことに用いられる送信ユニットとを含む、前記基地局。
【国際調査報告】
2019502274.tif 000118
2019502274.tif 000119
2019502274.tif 000120
2019502274.tif 000121